(57)【要約】【課題】適切な隣接セル情報を生成することにより、無線通信システムにおける動作の効率化を図ることが可能な隣接セル処理装置、隣接セル処理方法およびデータ構造を提供する。【解決手段】無線端末装置２０２が移動動作を行なうことにより複数の無線基地局装置と通信可能な通信システムにおける隣接セル処理装置であって、対象の無線基地局装置以外の複数の無線基地局装置のうち、対象無線基地局装置と通信中の無線端末装置２０２が通信可能な１または複数の無線基地局装置を示す隣接セル情報を、対象無線基地局装置と通信中の無線端末装置２０２ごとに生成するための隣接セル情報生成部１２と、隣接セル情報生成部によって生成された隣接セル情報を対応の無線端末装置２０２または対象無線基地局装置へ送信するための隣接セル情報送信部１４とを備える。【選択図】図４
2012105203.tif 000002
【特許請求の範囲】
【請求項１】
無線端末装置が移動動作を行なうことにより複数の無線基地局装置と通信可能な通信システムにおける隣接セル処理装置であって、
対象の前記無線基地局装置以外の複数の前記無線基地局装置のうち、前記対象無線基地局装置と通信中の前記無線端末装置が通信可能な１または複数の前記無線基地局装置を示す隣接セル情報を、前記対象無線基地局装置と通信中の前記無線端末装置ごとに生成するための隣接セル情報生成部と、
前記隣接セル情報生成部によって生成された前記隣接セル情報を対応の前記無線端末装置または前記対象無線基地局装置へ送信するための隣接セル情報送信部とを備える、隣接セル処理装置。
【請求項２】
前記隣接セル情報生成部は、対象の前記無線基地局装置以外の複数の前記無線基地局装置の中から、電源がオフされている前記無線基地局装置を少なくとも除いた隣接セル情報を生成する、請求項１に記載の隣接セル処理装置。
【請求項３】
前記隣接セル情報生成部は、新たな前記無線端末装置が前記対象無線基地局装置と通信を開始する際に、前記新たな無線端末装置が通信可能な１または複数の前記無線基地局装置の電源がオンされているかオフされているかを示す電源情報を取得し、電源がオフされている前記無線基地局装置を少なくとも除いた前記新たな無線端末装置用の隣接セル情報を生成する、請求項２に記載の隣接セル処理装置。
【請求項４】
前記通信システムにおける前記複数の無線基地局装置のうちの少なくともいずれか１つは、すべての前記無線端末装置に対して通信を許可するオープンアクセスモードで動作するか、前記無線端末装置を登録することが可能であり、登録された前記無線端末装置に対して通信を許可するクローズドアクセスモードで動作するか、または前記無線端末装置を登録することが可能であり、登録された前記無線端末装置および登録されていない前記無線端末装置の両方に対して通信を許可するハイブリッドモードで動作するかを設定可能であり、
前記隣接セル情報生成部は、対象の前記無線基地局装置以外の複数の前記無線基地局装置の中から、前記クローズドアクセスモードで動作し、かつ対応の前記無線端末装置が登録されていない前記無線基地局装置を少なくとも除いた隣接セル情報を生成する、請求項１から３のいずれか１項に記載の隣接セル処理装置。
【請求項５】
前記隣接セル処理装置は、さらに、
前記対象無線基地局装置の周辺に配置された１または複数の前記無線基地局装置、および前記１または複数の無線基地局装置と通信可能な１または複数の無線端末装置の対応関係を示す通信システム情報を取得するための通信システム情報取得部を備え、
前記隣接セル情報生成部は、前記通信システム情報に基づいて前記隣接セル情報を生成する、請求項１から４のいずれか１項に記載の隣接セル処理装置。
【請求項６】
前記通信システム情報は、前記対象無線基地局装置を検知した前記対象無線基地局装置以外の前記無線基地局装置から通知される、前記無線基地局装置の識別情報および前記対象無線基地局装置の識別情報に基づいて生成される、請求項５に記載の隣接セル処理装置。
【請求項７】
前記通信システム情報は、前記対象無線基地局装置以外の前記無線基地局装置の設置場所を示す位置情報に基づいて取得された前記対象無線基地局装置の識別情報、および前記位置情報に対応する前記無線基地局装置の識別情報に基づいて生成される、請求項５に記載の隣接セル処理装置。
【請求項８】
前記通信システム情報は、前記対象無線基地局装置以外の前記無線基地局装置から通知される、前記無線基地局装置の電源がオンされたかオフされるかを示す電源情報に基づいて生成される、請求項５に記載の隣接セル処理装置。
【請求項９】
前記通信システム情報は、前記対象無線基地局装置以外の前記無線基地局装置から定期的に通知される、前記無線基地局装置の電源がオンされていることを示す電源情報に基づいて生成される、請求項５に記載の隣接セル処理装置。
【請求項１０】
前記通信システム情報取得部は、前記通信システムにおける各前記無線基地局装置の情報を記憶する管理装置から前記通信システム情報を取得する、請求項５から９のいずれか１項に記載の隣接セル処理装置。
【請求項１１】
無線端末装置が移動動作を行なうことにより複数の無線基地局装置と通信可能な通信システムにおける隣接セル処理装置であって、
対象の前記無線基地局装置以外の複数の前記無線基地局装置のうち、前記対象無線基地局装置の周辺に配置された１または複数の前記無線基地局装置を示す隣接セル情報を生成するための隣接セル情報生成部と、
前記隣接セル情報生成部によって生成された前記隣接セル情報を前記対象無線基地局装置へ送信するか、または前記対象無線基地局装置と通信可能な無線端末装置へ報知するための隣接セル情報送信部とを備え、
前記隣接セル情報生成部は、前記隣接セル情報に新たな１または複数の前記無線基地局装置を追加する場合であって、前記新たな１または複数の前記無線基地局装置を追加すると前記隣接セル情報における前記無線基地局装置の数が所定値を超えるときには、前記隣接セル情報には前記新たな１または複数の前記無線基地局装置を追加せず、
前記隣接セル情報送信部は、前記隣接セル情報生成部が前記新たな１または複数の前記無線基地局装置を前記隣接セル情報に追加しない場合には、前記対象無線基地局装置と通信中であり、かつ前記新たな１または複数の前記無線基地局装置の一部または全部と通信可能な前記無線端末装置へ、前記新たな１または複数の前記無線基地局装置の一部または全部を前記隣接セル情報とは別の情報として通知する、隣接セル処理装置。
【請求項１２】
無線端末装置が移動動作を行なうことにより複数の無線基地局装置と通信可能な通信システムにおける隣接セル処理装置であって、
対象の前記無線基地局装置以外の複数の前記無線基地局装置のうち、前記対象無線基地局装置の周辺に配置された１または複数の前記無線基地局装置を示す隣接セル情報を生成するための隣接セル情報生成部と、
前記隣接セル情報生成部によって生成された前記隣接セル情報を前記対象無線基地局装置へ送信するか、または前記対象無線基地局装置と通信可能な無線端末装置へ報知するための隣接セル情報送信部とを備え、
前記隣接セル情報生成部は、前記隣接セル情報に新たな１または複数の前記無線基地局装置を追加する場合であって、前記新たな１または複数の前記無線基地局装置を追加すると前記隣接セル情報における前記無線基地局装置の数が所定値を超えるときには、前記隣接セル情報に示された１または複数の前記無線基地局装置のうち、以下の条件を満たす前記無線基地局装置を前記隣接セル情報から削除し、削除した後の前記隣接セル情報に前記新たな１または複数の前記無線基地局装置を追加する、隣接セル処理装置。
条件：前記対象無線基地局装置と通信可能な無線端末装置の中に、自己が通信を許可している無線端末装置が存在しない無線基地局装置
【請求項１３】
前記対象無線基地局装置以外の複数の前記無線基地局装置のうちの少なくともいずれか１つはフェムト基地局である、請求項１から１２のいずれか１項に記載の隣接セル処理装置。
【請求項１４】
前記隣接セル処理装置は、１または複数の前記無線基地局装置に含まれる、請求項１から１３のいずれか１項に記載の隣接セル処理装置。
【請求項１５】
無線端末装置が移動動作を行なうことにより複数の無線基地局装置と通信可能な通信システムにおける隣接セル処理方法であって、
対象の前記無線基地局装置以外の複数の前記無線基地局装置のうち、前記対象無線基地局装置と通信中の前記無線端末装置が通信可能な１または複数の前記無線基地局装置を示す隣接セル情報を、前記対象無線基地局装置と通信中の前記無線端末装置ごとに生成するステップと、
生成された前記隣接セル情報を対応の前記無線端末装置または前記対象無線基地局装置へ送信するステップとを含む、隣接セル処理方法。
【請求項１６】
無線端末装置が移動動作を行なうことにより複数の無線基地局装置と通信可能な通信システムにおける隣接セル処理方法であって、
対象の前記無線基地局装置以外の複数の前記無線基地局装置のうち、前記対象無線基地局装置の周辺に配置された１または複数の前記無線基地局装置を示す隣接セル情報を生成するステップと、
生成された前記隣接セル情報を前記対象無線基地局装置へ送信するか、または前記対象無線基地局装置と通信可能な無線端末装置へ報知するステップとを含み、
前記隣接セル情報を生成するステップにおいては、前記隣接セル情報に新たな１または複数の前記無線基地局装置を追加する場合であって前記新たな１または複数の前記無線基地局装置を追加すると前記隣接セル情報における前記無線基地局装置の数が所定値を超えるときには、前記隣接セル情報には前記新たな１または複数の前記無線基地局装置を追加せず、
前記隣接セル情報を送信するステップにおいては、前記隣接セル情報を生成するステップにおいて前記新たな１または複数の前記無線基地局装置を前記隣接セル情報に追加しない場合には、前記対象無線基地局装置と通信中であり、かつ前記新たな１または複数の前記無線基地局装置の一部または全部と通信可能な前記無線端末装置へ、前記新たな１または複数の前記無線基地局装置の一部または全部を前記隣接セル情報とは別の情報として通知する、隣接セル処理方法。
【請求項１７】
無線端末装置が移動動作を行なうことにより複数の無線基地局装置と通信可能な通信システムにおける隣接セル処理方法であって、
対象の前記無線基地局装置以外の複数の前記無線基地局装置のうち、前記対象無線基地局装置の周辺に配置された１または複数の前記無線基地局装置を示す隣接セル情報を生成するステップと、
生成された前記隣接セル情報を前記対象無線基地局装置へ送信するか、または前記対象無線基地局装置と通信可能な無線端末装置へ報知するステップとを含み、
前記隣接セル情報を生成するステップにおいては、前記隣接セル情報に新たな１または複数の前記無線基地局装置を追加する場合であって、前記新たな１または複数の前記無線基地局装置を追加すると前記隣接セル情報における前記無線基地局装置の数が所定値を超えるときには、前記隣接セル情報に示された１または複数の前記無線基地局装置のうち、以下の条件を満たす前記無線基地局装置を前記隣接セル情報から削除し、削除した後の前記隣接セル情報に前記新たな１または複数の前記無線基地局装置を追加する、隣接セル処理方法。
条件：前記対象無線基地局装置と通信可能な無線端末装置の中に、自己が通信を許可している無線端末装置が存在しない無線基地局装置
【請求項１８】
無線基地局装置間で通知される情報のデータ構造であって、
前記無線基地局装置の電源状態を示す電源状態データを備える、データ構造。
【請求項１９】
１または複数の無線基地局装置、および各前記無線基地局装置と通信可能な上位装置間で通知される情報のデータ構造であって、
前記情報の送信元である前記無線基地局装置の識別情報を示す送信元基地局識別データと、
前記情報の送信元である前記無線基地局装置の電源状態を示す電源状態データとを備える、データ構造。
【請求項２０】
１または複数の無線基地局装置と通信可能な上位装置から各前記無線基地局装置に通知される情報のデータ構造であって、
前記無線基地局装置の識別情報を示す基地局識別データと、
前記識別情報に対応する前記無線基地局装置の電源状態を示す電源状態データとを備える、データ構造。
【請求項２１】
前記電源状態データは、前記無線基地局装置の電源がオンからオフへ遷移したか、またはオフからオンへ遷移したかを示す、請求項１８から２０のいずれか１項に記載のデータ構造。
【請求項２２】
前記電源状態データは、前記無線基地局装置の電源がオン状態であるか、またはオフ状態であるかを示す、請求項１８から２１のいずれか１項に記載のデータ構造。
【請求項２３】
前記データ構造は、さらに、
前記無線基地局装置の負荷状況を示す負荷状況データ、および前記無線基地局装置と通信中の無線端末装置の数を示す通信中端末数データの少なくとも一方を備える、請求項１８から２２のいずれか１項に記載のデータ構造。
【請求項２４】
無線基地局装置間で通知される情報のデータ構造であって、
前記無線基地局装置に対して電源状態の通知を要求する旨を示す電源状態通知要求データを備える、データ構造。
【請求項２５】
１または複数の無線基地局装置、および各前記無線基地局装置と通信可能な上位装置間で通知される情報のデータ構造であって、
前記情報の送信元である前記無線基地局装置の識別情報を示す送信元基地局識別データと、
他の前記無線基地局装置に対して電源状態の通知を要求する旨を示す電源状態通知要求データとを備える、データ構造。
【請求項２６】
前記データ構造は、さらに、
前記情報の送信先である１または複数の前記無線基地局装置の識別情報を示す送信先基地局識別データを備える、請求項１９または２５に記載のデータ構造。
【発明の詳細な説明】
【技術分野】
【０００１】
本発明は、隣接セル処理装置、隣接セル処理方法およびデータ構造に関し、特に、無線端末装置が移動動作を行なうことにより複数の無線基地局装置と通信可能な通信システムにおける隣接セル処理装置、隣接セル処理方法およびデータ構造に関する。
【背景技術】
【０００２】
従来、移動通信システムでは、半径数百メートルから数十キロメートルのセルすなわち無線端末装置が通信可能なエリアを形成する無線基地局装置（以下、マクロ基地局とも称する。）による通信サービスが提供されてきた。
【０００３】
近年、移動通信サービスの加入者数の劇的な増加およびデータ通信による通信トラヒック量の増大から、より半径の小さいセルを形成することによって加入者および通信トラヒックを分散し、また、一定レベルの通信速度をユーザへ安定して提供することが望まれている。また、ビルの超高層化に伴う不感地対策のため、企業フロア内および一般家庭内への無線基地局装置の設置も望まれている。
【０００４】
これらの要望と併せて、無線基地局装置で使用される種々のデバイスの処理能力が飛躍的に向上したことによって無線基地局装置の小型化が進み、このような小型化された基地局が注目を集めている。
【０００５】
この小型基地局（以下、フェムト基地局とも称する。）が形成するフェムトセル（Femto Cell）の半径は１０メートル前後と小さいため、フェムト基地局は、マクロ基地局が形成するマクロセル（Macro Cell）の圏外となりマクロ基地局の設置が困難な宅内および地下街等の場所で使用されることが考えられる。
【０００６】
また、フェムト基地局は特定のエリアに多数設置されることから、フェムト基地局を直接コアネットワークに接続することは難しい。このため、特定のエリアに設置された多数のフェムト基地局を一旦、ＨｅＮＢ−ＧＷ等のゲートウェイ装置に接続し、フェムト基地局とコアネットワークとをＨｅＮＢ−ＧＷ経由で接続することが考えられる。
【０００７】
このような構成において、フェムト基地局を設置する際に１つ１つのフェムト基地局の設定を事業者またはフェムト基地局の購入者が行なっていくと、相当な作業と費用を要する。また、新たにフェムト基地局が設置されてフェムト基地局が増加するたびに、新たに設置されたフェムト基地局だけでなく、既存の周辺のフェムト基地局の再設定も行なわなければならなくなる。
【０００８】
このような問題点を解決するための構成として、たとえば、特許文献１には、以下のような技術が開示されている。すなわち、新たなセルは、既存のセルによって用いられている様々な異なるチャネルの信号強度を測定する。新たなセルは、大きな信号強度を持つチャネルに対応する候補チャネルのリストを作成し、このリストをセルラシステムの移動体交換センタに送信する。移動体交換センタは、どの候補チャネルが既存のセル内で用いられているビーコンに対応するかを決定し、新たなセルに、これら既存の各セルに関する構成情報を送信する。こうして、新たなセルは、隣接セルに関する構成情報を自動的に受信する。移動体交換センタが、識別されたネーバー（隣接セル）が最大値Ｎに達してないことを決定した場合は、移動体交換センタは、新たなセルに対して、追加の候補チャネル（つまり、より低い信号強度を持つ候補チャネル）を送信することを要請する。
【先行技術文献】
【特許文献】
【０００９】
【特許文献１】特開平１１―３３１９３１号公報
【発明の概要】
【発明が解決しようとする課題】
【００１０】
フェムト基地局は、たとえば、オープン／ハイブリッド／クローズドのいずれかのアクセスモードで動作する。フェムト基地局は、クローズドアクセスモードで動作する場合には、登録済みのメンバー（端末）のみ接続可能となる。また、クローズドアクセスモードで動作する場合には、登録済みのメンバーにのみサービスを提供する。また、ハイブリッドモードで動作する場合には、登録済みのメンバー、および未登録のメンバーすなわちノンメンバーの両方にサービスを提供する。また、オープンアクセスモードで動作する場合には、マクロ基地局と同じ動作をする。
【００１１】
また、フェムト基地局の購入者は、当該フェムト基地局の設置場所を独自に決めることができる。このため、フェムト基地局が設置された無線通信システムでは、フェムト基地局の移動および電源のオン／オフが起こりやすいことから、周辺にフェムト基地局が存在する無線基地局装置において適切な隣接セル情報を生成することが困難となる。
【００１２】
たとえば、無線端末装置は、この隣接セル情報を用いて、自律的に、またはフェムト基地局からの指示に従い、隣接セル情報に登録されたフェムト基地局からの受信電力を測定し、この測定結果をフェムト基地局に報告する。この場合、当該無線端末装置が登録されていないクローズドアクセスモードのフェムト基地局および電源がオフされているフェムト基地局等、ハンドオーバ先としては向かないフェムト基地局が隣接セル情報に登録されていると、当該無線端末装置が無駄な測定動作を行ない、また、無駄なハンドオーバが発生してしまう。
【００１３】
この発明は、上述の課題を解決するためになされたもので、その目的は、適切な隣接セル情報を生成することにより、無線通信システムにおける動作の効率化を図ることが可能な隣接セル処理装置、隣接セル処理方法およびデータ構造を提供することである。
【課題を解決するための手段】
【００１４】
（１）上記課題を解決するために、この発明のある局面に係わる隣接セル処理装置は、無線端末装置が移動動作を行なうことにより複数の無線基地局装置と通信可能な通信システムにおける隣接セル処理装置であって、対象の上記無線基地局装置以外の複数の上記無線基地局装置のうち、上記対象無線基地局装置と通信中の上記無線端末装置が通信可能な１または複数の上記無線基地局装置を示す隣接セル情報を、上記対象無線基地局装置と通信中の上記無線端末装置ごとに生成するための隣接セル情報生成部と、上記隣接セル情報生成部によって生成された上記隣接セル情報を対応の上記無線端末装置または上記対象無線基地局装置へ送信するための隣接セル情報送信部とを備える。
【００１５】
このように、対象無線基地局装置と通信中の無線端末装置ごとに隣接セル情報を生成し、無線端末装置が通信可能な無線基地局装置を隣接セル情報に含める構成により、当該無線端末装置が無駄な測定動作を行なうことを防ぎ、また、無駄なハンドオーバの発生を抑制することができる。また、不適切な無線基地局装置を隣接セル情報に含めないことから、隣接セル情報を送信するための送信帯域が増大することを抑制し、また、送信時間が短くなることで対象無線基地局装置周辺の他の無線基地局装置および他の無線端末装置への干渉を低減することができる。また、隣接セル情報を受信する無線端末装置においても、容量の大きいデータを受信する必要がなくなり、消費電力の増大を防ぐことができる。また、隣接セル情報に含める無線基地局装置を不適切に減らすことを防ぎ、無線端末装置のハンドオーバ等を適切に行なうことが可能となる。
【００１６】
また、無線基地局装置の移動および電源のオン／オフに関わらず、隣接セル情報を自動的に最適化することができるため、人手を介すことなく、通信システムにおける動作の効率化を図ることができる。また、自動的に隣接セル情報の最適化が行われることから、無線基地局装置に対する特別な設置処理が不要となるため、無線基地局装置を設置するための作業時間および費用の低減を図ることができる。
【００１７】
したがって、適切な隣接セル情報を生成することにより、通信システムにおける動作の効率化を図ることができる。
【００１８】
（２）好ましくは、上記隣接セル情報生成部は、対象の上記無線基地局装置以外の複数の上記無線基地局装置の中から、電源がオフされている上記無線基地局装置を少なくとも除いた隣接セル情報を生成する。
【００１９】
このように、電源がオフされている無線基地局装置を隣接セル情報から除く構成により、無線端末装置が必ず通信できない無線基地局装置を隣接セル情報から除くことができるため、無線端末装置による無駄なハンドオーバ動作および測定動作を防ぐことができる。
【００２０】
（３）より好ましくは、上記隣接セル情報生成部は、新たな上記無線端末装置が上記対象無線基地局装置と通信を開始する際に、上記新たな無線端末装置が通信可能な１または複数の上記無線基地局装置の電源がオンされているかオフされているかを示す電源情報を取得し、電源がオフされている上記無線基地局装置を少なくとも除いた上記新たな無線端末装置用の隣接セル情報を生成する。
【００２１】
このように、無線基地局装置の最新の電源状態を把握してから当該無線基地局装置を隣接セル情報に登録するか否かを判断する構成により、適切な隣接セル情報を生成することが可能となる。
【００２２】
（４）好ましくは、上記通信システムにおける上記複数の無線基地局装置のうちの少なくともいずれか１つは、すべての上記無線端末装置に対して通信を許可するオープンアクセスモードで動作するか、上記無線端末装置を登録することが可能であり、登録された上記無線端末装置に対して通信を許可するクローズドアクセスモードで動作するか、または上記無線端末装置を登録することが可能であり、登録された上記無線端末装置および登録されていない上記無線端末装置の両方に対して通信を許可するハイブリッドモードで動作するかを設定可能であり、上記隣接セル情報生成部は、対象の上記無線基地局装置以外の複数の上記無線基地局装置の中から、上記クローズドアクセスモードで動作し、かつ対応の上記無線端末装置が登録されていない上記無線基地局装置を少なくとも除いた隣接セル情報を生成する。
【００２３】
このように、無線端末装置のアクセスを許可していない無線基地局装置を隣接セル情報から除く構成により、無線端末装置が通信できない無線基地局装置を隣接セル情報から除くことができるため、無線端末装置による無駄なハンドオーバ動作および測定動作を防ぐことができる。
【００２４】
（５）好ましくは、上記隣接セル処理装置は、さらに、上記対象無線基地局装置の周辺に配置された１または複数の上記無線基地局装置、および上記１または複数の無線基地局装置と通信可能な１または複数の無線端末装置の対応関係を示す通信システム情報を取得するための通信システム情報取得部を備え、上記隣接セル情報生成部は、上記通信システム情報に基づいて上記隣接セル情報を生成する。
【００２５】
このような構成により、通信システムの構成に基づく最適な隣接セル情報を生成することが可能となる。
【００２６】
（６）より好ましくは、上記通信システム情報は、上記対象無線基地局装置を検知した上記対象無線基地局装置以外の上記無線基地局装置から通知される、上記無線基地局装置の識別情報および上記対象無線基地局装置の識別情報に基づいて生成される。
【００２７】
このような構成により、適切な通信システム情報を構築することが可能となり、通信システムにおける動作のさらなる効率化を実現することができる。
【００２８】
（７）より好ましくは、上記通信システム情報は、上記対象無線基地局装置以外の上記無線基地局装置の設置場所を示す位置情報に基づいて取得された上記対象無線基地局装置の識別情報、および上記位置情報に対応する上記無線基地局装置の識別情報に基づいて生成される。
【００２９】
このような構成により、適切な通信システム情報を構築することが可能となり、通信システムにおける動作のさらなる効率化を実現することができる。
【００３０】
（８）より好ましくは、上記通信システム情報は、上記対象無線基地局装置以外の上記無線基地局装置から通知される、上記無線基地局装置の電源がオンされたかオフされるかを示す電源情報に基づいて生成される。
【００３１】
このような構成により、無線基地局装置の電源状態を取得し、通信システム情報に反映することが可能となり、適切な隣接セル情報を生成することが可能となる。
【００３２】
（９）より好ましくは、上記通信システム情報は、上記対象無線基地局装置以外の上記無線基地局装置から定期的に通知される、上記無線基地局装置の電源がオンされていることを示す電源情報に基づいて生成される。
【００３３】
このような構成により、無線基地局装置の電源状態を取得し、通信システム情報に反映することが可能となり、適切な隣接セル情報を生成することが可能となる。また、無線基地局装置に異常が発生したことによる電源オフを検出することが可能となる。
【００３４】
（１０）より好ましくは、上記通信システム情報取得部は、上記通信システムにおける各上記無線基地局装置の情報を記憶する管理装置から上記通信システム情報を取得する。
【００３５】
このように、通信システム全体の情報を管理する管理装置から通信システム情報を各無線基地局装置が取得する構成により、通信システム全体として効率的な隣接セル情報の生成を行なうことが可能となる。
【００３６】
（１１）またこの発明の別の局面に係わる隣接セル処理装置は、無線端末装置が移動動作を行なうことにより複数の無線基地局装置と通信可能な通信システムにおける隣接セル処理装置であって、対象の上記無線基地局装置以外の複数の上記無線基地局装置のうち、上記対象無線基地局装置の周辺に配置された１または複数の上記無線基地局装置を示す隣接セル情報を生成するための隣接セル情報生成部と、上記隣接セル情報生成部によって生成された上記隣接セル情報を上記対象無線基地局装置へ送信するか、または上記対象無線基地局装置と通信可能な無線端末装置へ報知するための隣接セル情報送信部とを備え、上記隣接セル情報生成部は、上記隣接セル情報に新たな１または複数の上記無線基地局装置を追加する場合であって、上記新たな１または複数の上記無線基地局装置を追加すると上記隣接セル情報における上記無線基地局装置の数が所定値を超えるときには、上記隣接セル情報には上記新たな１または複数の上記無線基地局装置を追加せず、上記隣接セル情報送信部は、上記隣接セル情報生成部が上記新たな１または複数の上記無線基地局装置を上記隣接セル情報に追加しない場合には、上記対象無線基地局装置と通信中であり、かつ上記新たな１または複数の上記無線基地局装置の一部または全部と通信可能な上記無線端末装置へ、上記新たな１または複数の上記無線基地局装置の一部または全部を上記隣接セル情報とは別の情報として通知する。
【００３７】
このような構成により、対象無線基地局装置と通信中の無線端末装置に対して、測定対象およびハンドオーバ対象として適切かつ十分な数の無線基地局装置を隣接セルとして通知することができるため、通信システムにおける動作の効率化を図ることができる。
【００３８】
（１２）またこの発明の別の局面に係わる隣接セル処理装置は、無線端末装置が移動動作を行なうことにより複数の無線基地局装置と通信可能な通信システムにおける隣接セル処理装置であって、対象の上記無線基地局装置以外の複数の上記無線基地局装置のうち、上記対象無線基地局装置の周辺に配置された１または複数の上記無線基地局装置を示す隣接セル情報を生成するための隣接セル情報生成部と、上記隣接セル情報生成部によって生成された上記隣接セル情報を上記対象無線基地局装置へ送信するか、または上記対象無線基地局装置と通信可能な無線端末装置へ報知するための隣接セル情報送信部とを備え、上記隣接セル情報生成部は、上記隣接セル情報に新たな１または複数の上記無線基地局装置を追加する場合であって、上記新たな１または複数の上記無線基地局装置を追加すると上記隣接セル情報における上記無線基地局装置の数が所定値を超えるときには、上記隣接セル情報に示された１または複数の上記無線基地局装置のうち、以下の条件を満たす上記無線基地局装置を上記隣接セル情報から削除し、削除した後の上記隣接セル情報に上記新たな１または複数の上記無線基地局装置を追加する。
【００３９】
条件：上記対象無線基地局装置と通信可能な無線端末装置の中に、自己が通信を許可している無線端末装置が存在しない無線基地局装置
このような構成により、対象無線基地局装置と通信可能な無線端末装置に対して、測定対象およびハンドオーバ対象として適切かつ十分な数の無線基地局装置が登録された隣接セル情報を通知することができるため、通信システムにおける動作の効率化を図ることができる。
【００４０】
好ましくは、上記隣接セル情報生成部は、対象の上記無線基地局装置以外の複数の上記無線基地局装置のうち、上記対象無線基地局装置と通信中でない上記無線端末装置が受信レベルを測定する対象となる無線信号を送信する１または複数の上記無線基地局装置を示す隣接セル情報を生成する。
【００４１】
このような構成により、無線基地局装置からの報知情報等によって指示される定期的な電力測定の対象となる隣接セルの数を低減することができるため、無線端末装置が無駄な測定動作を行なうことを防ぐことができる。特に、アイドル状態の無線端末装置の消費電力を低減することができるため、顕著な効果が得られる。
【００４２】
好ましくは、上記隣接セル情報生成部は、対象の上記無線基地局装置以外の複数の上記無線基地局装置のうち、上記対象無線基地局装置と通信中の無線端末装置の移動先候補となる１または複数の上記無線基地局装置を示す隣接セル情報を生成する。
【００４３】
このような構成により、設置された無線基地局装置のセル内における移動動作を最適な状態にすることが可能となる。また、隣接セル情報の最適化を行なうことにより、通信中の無線端末装置の移動先候補となる隣接セルの数を低減することができるため、無駄な移動動作が発生することを防ぐことができる。
【００４４】
好ましくは、上記隣接セル情報生成部は、対象の上記無線基地局装置以外の複数の上記無線基地局装置のうち、上記無線端末装置の測定対象となる１または複数の上記無線基地局装置を示す隣接セル情報を生成する。
【００４５】
このように、隣接セル情報の最適化を行なうことにより、無線端末装置が測定を行なう対象となる隣接セルの数を低減することができるため、無線端末装置が無駄な測定動作を行なうことを防ぐことができる。
【００４６】
好ましくは、上記隣接セル情報生成部は、対象の上記無線基地局装置以外の複数の上記無線基地局装置のうち、上記無線端末装置が受信レベルを測定する対象となる無線信号を送信する１または複数の上記無線基地局装置を示す隣接セル情報を生成する。
【００４７】
このように、隣接セル情報の最適化を行なうことにより、無線端末装置が受信レベル測定を行なう対象となる隣接セルの数を低減することができるため、無線端末装置が無駄な測定動作を行なうことを防ぐことができる。
【００４８】
（１３）好ましくは、上記対象無線基地局装置以外の複数の上記無線基地局装置のうちの少なくともいずれか１つはフェムト基地局である。
【００４９】
このように、電源のオン／オフおよびセルの移動が頻繁に起こり、また、アクセス制限の設定が可能なフェムト基地局が周辺に配置された無線基地局装置において、適切な隣接セル情報を生成することにより、通信システムにおける動作の効率化を図るという効果をより顕著に得ることができる。
【００５０】
（１４）好ましくは、上記隣接セル処理装置は、１または複数の上記無線基地局装置に含まれる。
【００５１】
このような構成により、たとえばコアネットワークにおける上位装置で各無線基地局装置の隣接セル情報の最適化を行なう必要がなくなり、通信システムにおける処理負荷の分散、ならびに無線基地局装置および上位装置間における通信量の低減を図ることができる。
【００５２】
（１５）上記課題を解決するために、この発明のある局面に係わる隣接セル処理方法は、無線端末装置が移動動作を行なうことにより複数の無線基地局装置と通信可能な通信システムにおける隣接セル処理方法であって、対象の上記無線基地局装置以外の複数の上記無線基地局装置のうち、上記対象無線基地局装置と通信中の上記無線端末装置が通信可能な１または複数の上記無線基地局装置を示す隣接セル情報を、上記対象無線基地局装置と通信中の上記無線端末装置ごとに生成するステップと、生成された上記隣接セル情報を対応の上記無線端末装置または上記対象無線基地局装置へ送信するステップとを含む。
【００５３】
このように、対象無線基地局装置と通信中の無線端末装置ごとに隣接セル情報を生成し、無線端末装置が通信可能な無線基地局装置を隣接セル情報に含める構成により、当該無線端末装置が無駄な測定動作を行なうことを防ぎ、また、無駄なハンドオーバの発生を抑制することができる。また、不適切な無線基地局装置を隣接セル情報に含めないことから、隣接セル情報を送信するための送信帯域が増大することを抑制し、また、送信時間が短くなることで対象無線基地局装置周辺の他の無線基地局装置および他の無線端末装置への干渉を低減することができる。また、隣接セル情報を受信する無線端末装置においても、容量の大きいデータを受信する必要がなくなり、消費電力の増大を防ぐことができる。また、隣接セル情報に含める無線基地局装置を不適切に減らすことを防ぎ、無線端末装置のハンドオーバ等を適切に行なうことが可能となる。
【００５４】
また、無線基地局装置の移動および電源のオン／オフに関わらず、隣接セル情報を自動的に最適化することができるため、人手を介すことなく、通信システムにおける動作の効率化を図ることができる。また、自動的に隣接セル情報の最適化が行われることから、無線基地局装置に対する特別な設置処理が不要となるため、無線基地局装置を設置するための作業時間および費用の低減を図ることができる。
【００５５】
したがって、適切な隣接セル情報を生成することにより、通信システムにおける動作の効率化を図ることができる。
【００５６】
（１６）またこの発明の別の局面に係わる隣接セル処理方法は、無線端末装置が移動動作を行なうことにより複数の無線基地局装置と通信可能な通信システムにおける隣接セル処理方法であって、対象の上記無線基地局装置以外の複数の上記無線基地局装置のうち、上記対象無線基地局装置の周辺に配置された１または複数の上記無線基地局装置を示す隣接セル情報を生成するステップと、上記隣接セル情報生成部によって生成された上記隣接セル情報を上記対象無線基地局装置へ送信するか、または上記対象無線基地局装置と通信可能な無線端末装置へ報知するステップとを含み、上記隣接セル情報を生成するステップにおいては、上記隣接セル情報に新たな１または複数の上記無線基地局装置を追加する場合であって上記新たな１または複数の上記無線基地局装置を追加すると上記隣接セル情報における上記無線基地局装置の数が所定値を超えるときには、上記隣接セル情報には上記新たな１または複数の上記無線基地局装置を追加せず、上記隣接セル情報を送信するステップにおいては、上記隣接セル情報を生成するステップにおいて上記新たな１または複数の上記無線基地局装置を上記隣接セル情報に追加しない場合には、上記対象無線基地局装置と通信中であり、かつ上記新たな１または複数の上記無線基地局装置の一部または全部と通信可能な上記無線端末装置へ、上記新たな１または複数の上記無線基地局装置の一部または全部を上記隣接セル情報とは別の情報として通知する。
【００５７】
このような構成により、対象無線基地局装置と通信中の無線端末装置に対して、測定対象およびハンドオーバ対象として適切かつ十分な数の無線基地局装置を隣接セルとして通知することができるため、通信システムにおける動作の効率化を図ることができる。
【００５８】
（１７）またこの発明の別の局面に係わる隣接セル処理方法は、無線端末装置が移動動作を行なうことにより複数の無線基地局装置と通信可能な通信システムにおける隣接セル処理方法であって、対象の上記無線基地局装置以外の複数の上記無線基地局装置のうち、上記対象無線基地局装置の周辺に配置された１または複数の上記無線基地局装置を示す隣接セル情報を生成するステップと、生成された上記隣接セル情報を上記対象無線基地局装置へ送信するか、または上記対象無線基地局装置と通信可能な無線端末装置へ報知するステップとを含み、上記隣接セル情報を生成するステップにおいては、上記隣接セル情報に新たな１または複数の上記無線基地局装置を追加する場合であって、上記新たな１または複数の上記無線基地局装置を追加すると上記隣接セル情報における上記無線基地局装置の数が所定値を超えるときには、上記隣接セル情報に示された１または複数の上記無線基地局装置のうち、以下の条件を満たす上記無線基地局装置を上記隣接セル情報から削除し、削除した後の上記隣接セル情報に上記新たな１または複数の上記無線基地局装置を追加する。
【００５９】
条件：上記対象無線基地局装置と通信可能な無線端末装置の中に、自己が通信を許可している無線端末装置が存在しない無線基地局装置
このような構成により、対象無線基地局装置と通信可能な無線端末装置に対して、測定対象およびハンドオーバ対象として適切かつ十分な数の無線基地局装置が登録された隣接セル情報を通知することができるため、通信システムにおける動作の効率化を図ることができる。
【００６０】
（１８）上記課題を解決するために、この発明のある局面に係わるデータ構造は、無線基地局装置間で通知される情報のデータ構造であって、上記無線基地局装置の電源状態を示す電源状態データを備える。
【００６１】
このような構成により、たとえば論理的な基地局間インタフェースを用いて基地局間で電源状態を通知することが可能となり、適切な隣接セル情報の生成に資することができる。
【００６２】
（１９）またこの発明の別の局面に係わるデータ構造は、１または複数の無線基地局装置、および各上記無線基地局装置と通信可能な上位装置間で通知される情報のデータ構造であって、上記情報の送信元である上記無線基地局装置の識別情報を示す送信元基地局識別データと、上記情報の送信元である上記無線基地局装置の電源状態を示す電源状態データとを備える。
【００６３】
このような構成により、たとえば論理的な基地局−事業者網間インタフェースを用いて基地局間で上位装置を介して電源状態を通知することが可能となり、適切な隣接セル情報の生成に資することができる。
【００６４】
（２０）またこの発明の別の局面に係わるデータ構造は、１または複数の無線基地局装置と通信可能な上位装置から各上記無線基地局装置に通知される情報のデータ構造であって、上記無線基地局装置の識別情報を示す基地局識別データと、上記識別情報に対応する上記無線基地局装置の電源状態を示す電源状態データとを備える。
【００６５】
このような構成により、上位装置から基地局に電源状態を通知することが可能となる。
【００６６】
（２１）好ましくは、上記電源状態データは、上記無線基地局装置の電源がオンからオフへ遷移したか、またはオフからオンへ遷移したかを示す。
【００６７】
このような構成により、ある基地局の電源状態が遷移する際に、他の基地局において当該遷移に関する情報を取得することが可能となる。
【００６８】
（２２）好ましくは、上記電源状態データは、上記無線基地局装置の電源がオン状態であるか、またはオフ状態であるかを示す。
【００６９】
このような構成により、ある基地局の電源状態をたとえば定期的に取得することが可能となる。
【００７０】
（２３）好ましくは、上記データ構造は、さらに、上記無線基地局装置の負荷状況を示す負荷状況データ、および上記無線基地局装置と通信中の無線端末装置の数を示す通信中端末数データの少なくとも一方を備える。
【００７１】
このような構成により、ある基地局が、自己の電源状態とともに自己の負荷状況および接続端末数を事前に他の基地局に通知することが可能となり、無駄な測定動作およびハンドオーバ動作を防ぐことができる。
【００７２】
（２４）またこの発明の別の局面に係わるデータ構造は、無線基地局装置間で通知される情報のデータ構造であって、上記無線基地局装置に対して電源状態の通知を要求する旨を示す電源状態通知要求データを備える。
【００７３】
このような構成により、ある基地局から自律的に他の基地局に対して電源状態の通知を要求することが可能となり、適切な隣接セル情報の生成に資することができる。
【００７４】
（２５）またこの発明の別の局面に係わるデータ構造は、１または複数の無線基地局装置、および各上記無線基地局装置と通信可能な上位装置間で通知される情報のデータ構造であって、上記情報の送信元である上記無線基地局装置の識別情報を示す送信元基地局識別データと、他の上記無線基地局装置に対して電源状態の通知を要求する旨を示す電源状態通知要求データとを備える。
【００７５】
このような構成により、ある基地局から自律的に上位装置経由で他の基地局に対して電源状態の通知を要求することが可能となり、適切な隣接セル情報の生成に資することができる。
【００７６】
（２６）好ましくは、上記データ構造は、さらに、上記情報の送信先である１または複数の上記無線基地局装置の識別情報を示す送信先基地局識別データを備える。
【００７７】
このような構成により、上位装置においてメッセージの送信先を決定する必要がなくなり、上位装置における処理負荷の低減を図ることができる。
【発明の効果】
【００７８】
本発明によれば、適切な隣接セル情報を生成することにより、無線通信システムにおける動作の効率化を図ることができる。
【図面の簡単な説明】
【００７９】
【図１】本発明の第１の実施の形態に係るフェムト基地局のアクセスモードと接続可能な無線端末装置との関係を示す図である。
【図２】本発明の第１の実施の形態に係る無線通信システムにおける無線基地局装置の配置例を示す図である。
【図３】本発明の第１の実施の形態に係るマクロ基地局の構成を示す図である。
【図４】本発明の第１の実施の形態に係るマクロ基地局における信号処理部の構成を示す図である。
【図５】本発明の第１の実施の形態に係る無線通信システムにおける通信システム情報の一例を示す図である。
【図６】本発明の第１の実施の形態に係る無線通信システムにおいて、マクロ基地局が生成する隣接セル情報の一例を示す図である。
【図７】本発明の第１の実施の形態に係る無線通信システムにおいて、マクロ基地局が生成する隣接セル情報の一例を示す図である。
【図８】本発明の第１の実施の形態に係る無線通信システムにおけるハンドオーバ動作のシーケンスの一例を示す図である。
【図９】本発明の第１の実施の形態に係る無線通信システムにおいて、無線基地局装置が隣接セル情報を無線端末装置へ通知する方法の一例を示す図である。
【図１０】本発明の第１の実施の形態に係る無線通信システムにおいて、無線基地局装置が隣接セル情報を無線端末装置へ通知する方法の一例を示す図である。
【図１１】本発明の第１の実施の形態に係る無線通信システムにおける電源遷移通知メッセージの一例を示す図である。
【図１２】本発明の第１の実施の形態に係る無線通信システムにおける電源状態通知要求メッセージの一例を示す図である。
【図１３】本発明の第１の実施の形態に係る無線通信システムにおける電源状態通知メッセージの一例を示す図である。
【図１４】本発明の第１の実施の形態に係る無線通信システムにおける電源状態通知メッセージの他の例を示す図である。
【図１５】本発明の第１の実施の形態に係る無線通信システムにおける電源状態通知メッセージの一例を示す図である。
【図１６】本発明の第１の実施の形態に係る無線通信システムにおける電源状態通知要求メッセージの一例を示す図である。
【図１７】本発明の第１の実施の形態に係る無線通信システムにおける電源状態通知メッセージの一例を示す図である。
【図１８】本発明の第１の実施の形態に係る無線通信システムにおける電源状態通知メッセージの他の例を示す図である。
【図１９】本発明の第１の実施の形態に係る無線通信システムにおける基地局電源状態通知メッセージの他の例を示す図である。
【図２０】本発明の第２の実施の形態に係るマクロ基地局における信号処理部の構成を示す図である。
【図２１】本発明の第２の実施の形態に係る無線通信システムにおいて、マクロ基地局が生成する隣接セル情報の一例を示す図である。
【図２２】本発明の第２の実施の形態に係るマクロ基地局が隣接セル情報を更新する際の動作手順を定めたフローチャートである。
【図２３】本発明の第２の実施の形態に係るマクロ基地局が隣接セル情報を更新する際の動作手順の他の例を定めたフローチャートである。
【図２４】本発明の第２の実施の形態に係る無線通信システムにおいて、無線基地局装置が隣接セル情報を無線端末装置へ通知する方法の一例を示す図である。
【図２５】本発明の第３の実施の形態に係る上位装置の構成を示す図である。
【図２６】本発明の第３の実施の形態に係る上位装置におけるデータ処理部の構成を示す図である。
【発明を実施するための形態】
【００８０】
以下、本発明の実施の形態について図面を用いて説明する。なお、図中同一または相当部分には同一符号を付してその説明は繰り返さない。
【００８１】
＜第１の実施の形態＞
無線基地局装置は、自らの形成するセルおよび周辺セルについての情報、すなわち無線信号の周波数および周辺セルのＩＤ（identification）等を無線端末装置に通知する。無線端末装置は、無線基地局装置から通知された情報に基づいて、周辺セルの検出および測定を行なう。無線端末装置は、この測定結果に基づいて、周辺セルへの移動を開始する。ここで、無線端末装置の「移動」とは、ハンドオーバを意味することに加えて、アイドル状態の無線端末装置が今後通信を開始する、すなわち通話またはデータ通信を開始する際にどのセルを介して通信を行なうかを選択することを意味する。
【００８２】
たとえば、無線端末装置が無線基地局装置と通信しているときには、無線端末装置の移動先は無線基地局装置またはコアネットワークにおける上位装置が決定する。また、無線端末装置が無線基地局装置と通信していないときには、無線端末装置の移動先は無線端末装置が決定する。
【００８３】
フェムトセルおよびアクセスモードは、３ＧＰＰ（Third Generation Partnership Project）  ＳＰＥＣ  ＴＳ２２．２２０において以下のように説明されている。すなわち、フェムト基地局は、無線インタフェースを介して接続されている無線端末装置を、ＩＰバックホール（backhaul）を用いて、移動通信事業者網に接続する顧客構内装置である。
【００８４】
また、フェムトセルのアクセスモードにおいて、クローズドアクセスモードのフェムト基地局は、関連するＣＳＧ（Closed Subscriber Group）メンバーにのみサービスを提供する。また、ハイブリッドモードのフェムト基地局は、関連するＣＳＧメンバーおよびＣＳＧノンメンバーにサービスを提供する。また、オープンアクセスモードのフェムト基地局は、通常の基地局として動作する。
【００８５】
本発明の第１の実施の形態に係る無線通信システムにおいても、このような３ＧＰＰの定義を適用してもよい。
【００８６】
また、上記定義と合わせて、あるいは別個に、以下のような定義を適用することも可能である。
【００８７】
マクロ基地局は、事業者の管理下にあり、事業者と契約している無線基地局装置が通信可能な無線基地局装置である。また、マクロ基地局は、基本的に電源がオフになることはないと考えられる。
【００８８】
また、フェムト基地局は、主に個人または法人の建物内に設置され、ユーザの事情により移動するまたは電源がオフとなる可能性がある無線基地局装置である。
【００８９】
図１は、本発明の第１の実施の形態に係るフェムト基地局のアクセスモードと接続可能な無線端末装置との関係を示す図である。
【００９０】
図１を参照して、本発明の第１の実施の形態に係るフェムト基地局は、３つのアクセスモードを有する。すなわち、クローズドアクセスモードでは、フェムト基地局と接続可能な無線端末装置は登録済みの無線端末装置のみである。また、オープンアクセスモードでは、フェムト基地局と接続可能な無線端末装置はすべての無線端末装置であり、通常のマクロ基地局と同様である。また、ハイブリッドモードでは、フェムト基地局と接続可能な無線端末装置はすべての無線端末装置である。ただし、ハイブリッドモードでは、メンバーすなわち登録されている無線端末装置は、ノンメンバーすなわち登録されていない無線端末装置と比べて、フェムト基地局の通信リソースの割り当ておよび課金等で優遇される場合がある。
【００９１】
すなわち、本発明の第１の実施の形態に係るフェムト基地局は、すべての無線端末装置に対して通信を許可するオープンアクセスモードで動作するか、無線端末装置を登録することが可能であり、登録された無線端末装置に対して通信を許可するクローズドアクセスモードで動作するか、または無線端末装置を登録することが可能であり、登録された無線端末装置および登録されていない無線端末装置の両方に対して通信を許可するハイブリッドモードで動作するかを設定可能である。
【００９２】
［構成および基本動作］
図２は、本発明の第１の実施の形態に係る無線通信システムにおける無線基地局装置の配置例を示す図である。
【００９３】
図２を参照して、無線通信システム３０１は、たとえば３ＧＰＰで規格化されたＬＴＥ（Long Term Evolution）に従う移動体通信システムであり、マクロ基地局２０１と、フェムト基地局（無線基地局装置）１０１Ａ，１０１Ｂ，１０１Ｃ，１０１Ｄと、ゲートウェイ装置２０３と、上位装置２０５とを備える。
【００９４】
マクロ基地局２０１は、たとえば半径数キロメートルのマクロセルＭＣを形成する。また、フェムト基地局１０１Ａ，１０１Ｂ，１０１Ｃ，１０１Ｄは、たとえば半径数十メートルのフェムトセルＦＣＡ，ＦＣＢ，ＦＣＣ，ＦＣＤをそれぞれ形成する。
【００９５】
ここでは、マクロ基地局２０１が形成するマクロセル内に、複数のフェムト基地局が存在する状態を考える。
【００９６】
マクロ基地局２０１は、マクロセルＭＣ内に存在する無線端末装置２０２と無線信号を送受信することにより、当該無線端末装置２０２と通信することが可能である。
【００９７】
フェムト基地局１０１Ａ，１０１Ｂ，１０１Ｃ，１０１Ｄは、宅内および地下街等に設置され、それぞれフェムトセルＦＣＡ，ＦＣＢ，ＦＣＣ，ＦＣＤ内に存在する無線端末装置２０２と無線信号を送受信することにより、当該無線端末装置２０２と通信することが可能である。
【００９８】
ゲートウェイ装置２０３は、フェムト基地局１０１Ａ，１０１Ｂ，１０１Ｃ，１０１Ｄとコアネットワーク２０４における上位装置２０５との間で送信される種々の通信データの中継処理等を行なう。
【００９９】
上位装置２０５は、無線通信システム３０１全体の情報を管理する。たとえば、上位装置２０５は、無線通信システム３０１における各無線基地局装置の情報を取得して記憶する。
【０１００】
本発明の第１の実施の形態に係る無線通信システムでは、マクロ基地局２０１が隣接セル処理装置として動作する。すなわち、マクロ基地局２０１は、単体で隣接セル情報の最適化を行なう。
【０１０１】
以下、フェムト基地局１０１Ａ，１０１Ｂ，１０１Ｃ，１０１Ｄの各々をフェムト基地局１０１と称する場合がある。また、図２では、１つのマクロ基地局と、４つのフェムト基地局とを代表的に示しているが、少数またはさらに多数のマクロ基地局およびフェムト基地局が設けられてもよい。
【０１０２】
図３は、本発明の第１の実施の形態に係るマクロ基地局の構成を示す図である。フェムト基地局１０１の構成は、マクロ基地局２０１とたとえば同様である。
【０１０３】
図３を参照して、マクロ基地局２０１は、アンテナ９１と、サーキュレータ９２と、無線受信部９３と、無線送信部９４と、信号処理部９５とを備える。信号処理部９５は、受信信号処理部９６と、送信信号処理部９７とを含む。信号処理部９５は、ＣＰＵ（Central Processing Unit）またはＤＳＰ（Digital Signal Processor）等によって実現される。
【０１０４】
サーキュレータ９２は、アンテナ９１において受信された無線端末装置２０２からの無線信号を無線受信部９３へ出力し、また、無線送信部９４から受けた無線信号をアンテナ９１へ出力する。
【０１０５】
無線受信部９３は、サーキュレータ９２から受けた無線信号をベースバンド信号またはＩＦ（Intermediate Frequency）信号に周波数変換し、この周波数変換した信号をデジタル信号に変換して受信信号処理部９６へ出力する。
【０１０６】
受信信号処理部９６は、無線受信部９３から受けたデジタル信号に対してＣＤＭＡ（Code Division Multiple Access）方式における逆拡散等の信号処理を行ない、この信号処理後のデジタル信号の一部または全部を所定のフレームフォーマットに変換してコアネットワーク２０４における上位装置２０５へ送信する。
【０１０７】
送信信号処理部９７は、コアネットワーク２０４における上位装置２０５から受信した通信データを所定のフレームフォーマットに変換した通信データまたは自ら生成した通信データに対してＯＦＤＭ（Orthogonal Frequency Division Multiplex）方式におけるＩＦＦＴ（Inverse Fast Fourier Transform）等の信号処理を行ない、この信号処理後のデジタル信号を無線送信部９４へ出力する。
【０１０８】
無線送信部９４は、送信信号処理部９７から受けたデジタル信号をアナログ信号に変換し、変換したアナログ信号を無線信号に周波数変換してサーキュレータ９２へ出力する。
【０１０９】
図４は、本発明の第１の実施の形態に係るマクロ基地局における信号処理部の構成を示す図である。
【０１１０】
図４を参照して、信号処理部９５は、端末情報取得部１１と、隣接セル情報生成部１２と、通信システム情報取得部１３と、隣接セル情報送信部１４とを含む。隣接セル情報送信部１４は、図３に示す送信信号処理部９７に含まれる。
【０１１１】
端末情報取得部１１は、自己のマクロ基地局２０１と通信中である無線端末装置２０２の識別情報を取得する。
【０１１２】
通信システム情報取得部１３は、自己のマクロ基地局２０１、自己のマクロ基地局２０１の周辺に配置された１または複数のフェムト基地局１０１、および当該フェムト基地局１０１のメンバーである無線端末装置２０２の対応関係を示す通信システム情報をコアネットワーク２０４における上位装置２０５から取得する。
【０１１３】
隣接セル情報生成部１２は、通信システム情報取得部１３によって取得された通信システム情報および端末情報取得部１１によって取得された識別情報に基づいて、隣接セル情報を与える対象となる無線基地局装置（以下、対象基地局とも称する。）以外の無線通信システム３０１における複数の無線基地局装置のうち、対象基地局と通信中の無線端末装置２０２が通信可能な１または複数の無線基地局装置を示す隣接セル情報を生成する。すなわち、隣接セル情報生成部１２は、対象基地局と通信中の無線端末装置２０２ごとに隣接セル情報を生成する。本発明の第１の実施の形態に係る無線通信システムでは、対象基地局は自己のマクロ基地局２０１である。
【０１１４】
たとえば、隣接セル情報生成部１２は、対象基地局と通信する無線端末装置２０２のハンドオーバ先候補となる１または複数の無線基地局装置を示す隣接セル情報を生成する。
【０１１５】
隣接セル情報送信部１４は、隣接セル情報生成部１２によって生成された隣接セル情報を自己のマクロ基地局２０１と通信中の対応の無線端末装置２０２へ送信する。
【０１１６】
［動作］
次に、本発明の第１の実施の形態に係る無線基地局装置が隣接セル情報を生成する際の動作について説明する。
【０１１７】
図５は、本発明の第１の実施の形態に係る無線通信システムにおける通信システム情報の一例を示す図である。
【０１１８】
ここでは、無線通信システム３０１において、マクロ基地局２０１のセルＩＤが１１１１であり、フェムト基地局１０１Ａ，１０１Ｂ，１０１Ｃ，１０１ＤのセルＩＤがそれぞれ１１１，２２２，３３３，４４４であり、マクロ基地局２０１と通信中の無線端末装置２０２Ａ，２０２ＢのＩＤがそれぞれ１２３，３４５であると仮定する。
【０１１９】
図５を参照して、この通信システム情報では、以下のような通信システム構成が示されている。
【０１２０】
すなわち、マクロ基地局２０１の周辺にフェムト基地局１０１Ａ，１０１Ｂ，１０１Ｃ，１０１Ｄが配置されている。
【０１２１】
また、フェムト基地局１０１Ａは、電源がオンされており、アクセスモードがクローズドアクセスモードであり、そして、メンバーであるＩＤ＝１２３の無線端末装置２０２Ａがマクロ基地局２０１の形成するマクロセルＭＣに在圏しており、メンバーであるＩＤ＝２３４の無線端末装置２０２がマクロセルＭＣに在圏していない。
【０１２２】
また、フェムト基地局１０１Ｂは、電源がオフされており、アクセスモードがクローズドアクセスモードであり、メンバーであるＩＤ＝１２３の無線端末装置２０２Ａがマクロ基地局２０１の形成するマクロセルＭＣに在圏しており、メンバーであるＩＤ＝３４５の無線端末装置２０２ＢがマクロセルＭＣに在圏している。
【０１２３】
また、フェムト基地局１０１Ｃは、電源がオンされており、アクセスモードがオープンアクセスモードである。
【０１２４】
フェムト基地局１０１Ｄは、電源がオンされており、アクセスモードがクローズドアクセスモードであり、メンバーであるＩＤ＝３４５の無線端末装置２０２Ｂがマクロ基地局２０１の形成するマクロセルＭＣに在圏しており、メンバーであるＩＤ＝５６７の無線端末装置２０２がマクロセルＭＣに在圏していない。
【０１２５】
ここで、無線端末装置２０２がセルに在圏しているとは、当該セルを形成する無線基地局装置を通信先として選択し、かつ当該無線基地局装置と通信可能な状態であることを意味する。
【０１２６】
図５に示すような通信システム情報から、単純にマクロ基地局２０１と通信可能な各無線端末装置２０２間で共通の隣接セル情報を生成する場合には、たとえば、フェムト基地局１０１Ａ，１０１Ｂ，１０１Ｃ，１０１Ｄすなわち１１１，２２２，３３３，４４４のセルＩＤを示す隣接セル情報を生成することが考えられる。
【０１２７】
これに対して、本発明の第１の実施の形態に係る無線通信システムでは、以下のように隣接セル情報を最適化する。
【０１２８】
すなわち、隣接セル情報生成部１２は、対象基地局以外の複数の無線基地局装置の中から、電源がオフされている無線基地局装置を少なくとも除いた隣接セル情報を生成する。また、隣接セル情報生成部１２は、対象基地局以外の複数の無線基地局装置の中から、クローズドアクセスモードで動作し、かつ対応の無線端末装置２０２が登録されていない無線基地局装置を少なくとも除いた隣接セル情報を生成する。
【０１２９】
図６は、本発明の第１の実施の形態に係る無線通信システムにおいて、マクロ基地局が生成する隣接セル情報の一例を示す図である。図６は、図２に示す無線端末装置２０２のうちのいずれかである無線端末装置２０２Ａ用の隣接セル情報を示している。
【０１３０】
図６を参照して、隣接セル情報生成部１２は、自己のマクロ基地局２０１と通信中である無線端末装置２０２Ａへの通知用として、図５の通信システム情報に示された各フェムト基地局１０１から、電源がオフされているフェムト基地局１０１Ｂ、および無線端末装置２０２Ａがメンバーとなっていないクローズドアクセスモードのフェムト基地局１０１Ｄを除いた隣接セル情報を生成する。
【０１３１】
すなわち、無線端末装置２０２Ａ用の隣接セル情報には、電源がオンされており、かつ無線端末装置２０２Ａがメンバーとなっているクローズドアクセスモードのフェムト基地局１０１Ａ、および電源がオンされており、かつオープンアクセスモードで動作するフェムト基地局１０１Ｃを示す、１１１，３３３のセルＩＤが登録される。
【０１３２】
図７は、本発明の第１の実施の形態に係る無線通信システムにおいて、マクロ基地局が生成する隣接セル情報の一例を示す図である。図７は、図２に示す無線端末装置２０２のうち、無線端末装置２０２Ａ以外のいずれかである無線端末装置２０２Ｂ用の隣接セル情報を示している。
【０１３３】
図７を参照して、隣接セル情報生成部１２は、自己のマクロ基地局２０１と通信中である無線端末装置２０２Ｂへの通知用として、図５の通信システム情報に示された各フェムト基地局１０１から、電源がオフされているフェムト基地局１０１Ｂ、および無線端末装置２０２Ｂがメンバーとなっていないクローズドアクセスモードのフェムト基地局１０１Ａを除いた隣接セル情報を生成する。
【０１３４】
すなわち、無線端末装置２０２Ｂ用の隣接セル情報には、電源がオンされており、かつオープンアクセスモードで動作するフェムト基地局１０１Ｃ、および電源がオンされており、かつ無線端末装置２０２Ｂがメンバーとなっているクローズドアクセスモードのフェムト基地局１０１Ｄを示す、３３３，４４４のセルＩＤが登録される。
【０１３５】
このように、隣接セル情報生成部１２は、無線端末装置２０２ごとに隣接セル情報を最適化する。無線端末装置２０２Ａ用の隣接セル情報および無線端末装置２０２Ｂ用の隣接セル情報には、それぞれ２つのセルＩＤが登録される。
【０１３６】
図８は、本発明の第１の実施の形態に係る無線通信システムにおけるハンドオーバ動作のシーケンスの一例を示す図である。
【０１３７】
図８を参照して、まず、マクロ基地局２０１は、自己と通信中の無線端末装置２０２Ａの測定対象となる周波数と、測定セルすなわち当該周波数の無線信号を送信する他の無線基地局装置とを設定する（ステップＳ８１）。
【０１３８】
次に、マクロ基地局２０１は、設定した他の無線基地局装置から送信される無線信号の受信レベルを無線端末装置２０２Ａに測定させるための測定開始要求を無線端末装置２０２Ａへ送信する。この測定開始要求には、測定対象となる無線基地局装置の情報すなわちセルＩＤが含まれる。この情報は、たとえば、図６に示す無線端末装置２０２Ａ用の隣接セル情報である。また、この測定開始要求には、各無線基地局装置の送信周波数が含まれる（ステップＳ８２）。
【０１３９】
次に、無線端末装置２０２Ａは、マクロ基地局２０１から測定開始要求を受信して、受信した測定開始要求の示す周波数において、測定開始要求の示す無線基地局装置から送信される無線信号の受信レベルを測定する（ステップＳ８３）。
【０１４０】
次に、無線端末装置２０２Ａは、この受信レベルの測定結果を示す測定結果通知をマクロ基地局２０１へ送信する。たとえば、無線端末装置２０２Ａは、受信レベルの測定を定期的に行ない、マクロ基地局２０１との通信状態が悪くなった場合、およびマクロ基地局２０１以外の他の無線基地局装置との通信状態が良くなった場合に、測定結果通知をマクロ基地局２０１へ送信する（ステップＳ８４）。
【０１４１】
次に、マクロ基地局２０１は、無線端末装置２０２Ａから受信した測定結果通知に基づいて、セルＩＤごとの測定結果を示す測定情報を取得し、図示しない記憶部に保存する（ステップＳ８５）。
【０１４２】
なお、無線端末装置２０２Ａは、マクロ基地局２０１から通知されていないセルを検出した場合には、検出したセルの測定結果も含めてマクロ基地局２０１に報告してもよい。
【０１４３】
また、マクロ基地局２０１は、無線通信システム３０１において利用可能なすべての周波数について測定を指示することにより、無線端末装置２０２Ａに対して全周波数における周辺セルの検出および電力測定を行なわせることも可能である。
【０１４４】
次に、マクロ基地局２０１は、無線端末装置２０２Ａから受信した測定結果通知に基づいて、当該無線端末装置２０２Ａがハンドオーバすべきか否かを判断し、ハンドオーバすべきであると判断すると、図６に示す無線端末装置２０２Ａ用の隣接セル情報を参照してたとえばフェムト基地局１０１Ａをハンドオーバ先として決定し、フェムト基地局１０１Ａを示すハンドオーバ要求をコアネットワーク２０４における上位装置２０５へ送信する（ステップＳ８６）。なお、マクロ基地局２０１が、無線端末装置２０２Ａから受信した測定結果通知に基づいてハンドオーバ先を決定する場合には、隣接セル情報を参照する動作は不要である。
【０１４５】
ここで、本発明の第１の実施の形態に係る無線通信システムにおいて、ハンドオーバとは、通話中またはデータ通信中の無線端末装置２０２の通信相手となる無線基地局装置が切り替えられることを意味する。
【０１４６】
次に、上位装置２０５は、マクロ基地局２０１からハンドオーバ要求を受信して、フェムト基地局１０１Ａへ当該ハンドオーバ要求を送信する（ステップＳ８７）。
【０１４７】
次に、フェムト基地局１０１Ａは、上位装置２０５からハンドオーバ要求を受信して、上位装置２０５へ当該ハンドオーバ要求に対するハンドオーバ応答を送信する（ステップＳ８８）。
【０１４８】
次に、上位装置２０５は、フェムト基地局１０１Ａからハンドオーバ応答を受信して、マクロ基地局２０１へハンドオーバ指示を送信する（ステップＳ８９）。
【０１４９】
次に、マクロ基地局２０１は、上位装置２０５からハンドオーバ指示を受信して、無線端末装置２０２ＡへＲＲＣコネクション再確立指示（ＲＲＣコネクション再構成指示またはＲＲＣコネクション確立指示）を送信する（ステップＳ９０）。
【０１５０】
次に、マクロ基地局２０１は、上位装置２０５へ自己の通信状態等を示す状態通知を送信する（ステップＳ９１）。
【０１５１】
次に、上位装置２０５は、マクロ基地局２０１から状態通知を受信して、フェムト基地局１０１Ａへ無線端末装置２０２Ａとの通信内容等を示す状態通知を送信する（ステップＳ９２）。
【０１５２】
また、無線端末装置２０２Ａおよびフェムト基地局１０１Ａ間でＲＲＣコネクションが確立されると、無線端末装置２０２Ａは、フェムト基地局１０１ＡへＲＲＣコネクション確立通知を送信する（ステップＳ９３）。ここで、ＲＲＣ（Radio Resource Control）コネクションは、無線端末装置２０２Ａがマクロ基地局２０１と通信を開始するための処理である。
【０１５３】
次に、フェムト基地局１０１Ａは、無線端末装置２０２ＡからＲＲＣコネクション確立通知を受信して、上位装置２０５へハンドオーバ完了通知を送信する（ステップＳ９４）。
【０１５４】
次に、上位装置２０５は、フェムト基地局１０１Ａからハンドオーバ完了通知を受信して、端末情報解放指示をマクロ基地局２０１へ送信する（ステップＳ９５）。
【０１５５】
次に、マクロ基地局２０１は、上位装置２０５から端末情報解放指示を受信して、無線端末装置２０２Ａに関する情報を解放し、上位装置２０５へ端末情報解放完了通知を送信する（ステップＳ９６）。
【０１５６】
［隣接セル情報の通知］
マクロ基地局２０１は、新たな無線端末装置２０２との通信開始または通信システム情報の更新に伴い、隣接セル情報の生成および更新を行なう。そして、この生成または更新された隣接セル情報は対応の無線端末装置２０２へ通知する必要がある。すなわち、マクロ基地局２０１における隣接セル情報送信部１４は、隣接セル情報生成部１２によって生成された隣接セル情報を対象基地局である自己のマクロ基地局２０１と通信中の対応の無線端末装置２０２へ送信する。この通知方法としては、たとえば以下の２つの方法が考えられる。
【０１５７】
図９は、本発明の第１の実施の形態に係る無線通信システムにおいて、無線基地局装置が隣接セル情報を無線端末装置へ通知する方法の一例を示す図である。
【０１５８】
図９を参照して、たとえばＬＴＥでは、ＲＲＣコネクションの確立処理を行なう無線端末装置２０２に対して、マクロ基地局２０１は、無線データリンクを設定する際に隣接セル情報を通知する。
【０１５９】
より詳細には、まず、無線端末装置２０２およびマクロ基地局２０１間で無線制御信号のリンク設定、すなわちＩＰ（Internet Protocol）パケット等の通信データを送受信する前段階の各種制御処理が行われる（ステップＳ３１）。
【０１６０】
次に、無線端末装置２０２およびマクロ基地局２０１間でＮＡＳ（Non-Access Stratum）層のセキュリティ処理、すなわち通信の暗号化に必要な情報の送受信が行われる（ステップＳ３２）。たとえば、ＬＴＥでは、無線端末装置２０２は、コアネットワーク２０４における上位装置２０５との間で当該情報をやりとりし、マクロ基地局２０１は当該情報を中継する役割を果たす。
【０１６１】
次に、無線端末装置２０２およびマクロ基地局２０１間で無線データリンクの設定が行われ、その後、無線端末装置２０２およびマクロ基地局２０１間でＩＰパケット等の通信データが送受信される。また、マクロ基地局２０１は、他の無線基地局装置から送信される無線信号の受信レベルを無線端末装置２０２に測定させるための測定開始要求を無線端末装置２０２へ送信する（ステップＳ３３）。たとえば、ＬＴＥでは、マクロ基地局２０１から無線端末装置２０２に通知される無線データリンクの設定要求に、当該測定開始要求が含まれる。そして、この測定開始要求に隣接セル情報が含まれる。
【０１６２】
次に、無線端末装置２０２は、マクロ基地局２０１から測定開始要求を受信して、自ら保持している隣接セル情報を、新たに通知された隣接セル情報に更新し、更新した隣接セル情報の示す無線基地局装置から送信される無線信号の受信レベルを測定する（ステップＳ３４）。
【０１６３】
図１０は、本発明の第１の実施の形態に係る無線通信システムにおいて、無線基地局装置が隣接セル情報を無線端末装置へ通知する方法の一例を示す図である。
【０１６４】
図１０を参照して、マクロ基地局２０１は、自己と通信中の無線端末装置２０２に対して、測定変更要求を利用して隣接セル情報の更新を通知する。
【０１６５】
より詳細には、マクロ基地局２０１は、隣接セル情報の最適化が発生すると（ステップＳ２７）、更新された隣接セル情報を測定変更要求に含めて無線端末装置２０２へ送信する（ステップＳ４１）。
【０１６６】
次に、無線端末装置２０２は、自ら保持している隣接セル情報を、マクロ基地局２０１から受信した測定変更要求に含まれる隣接セル情報に変更し、変更した隣接セル情報の示す無線基地局装置から送信される無線信号の受信レベルを測定する（ステップＳ４２）。
【０１６７】
［通信システム情報の生成］
図５に示す通信システム情報は、マクロ基地局２０１、フェムト基地局１０１および無線端末装置２０２の対応関係を示す情報である。本発明の第１の実施の形態に係る無線通信システムでは、このような通信システム情報を、以下のような方法で生成する。
【０１６８】
まず、フェムト基地局１０１および無線端末装置２０２の括り付け、すなわちフェムト基地局１０１および当該フェムト基地局１０１へのアクセスを許可された無線端末装置２０２を示す情報の取得方法として、たとえば（方法１）無線端末装置２０２において取得する、（方法２）フェムト基地局１０１において取得する、（方法３）上位装置２０５において取得する、の３つの方法がある。
【０１６９】
方法１として、たとえば、ＬＴＥでは、無線端末装置２０２は、自己の属する加入者グループすなわち自己のＣＳＧ  ＩＤを認識しており、同じＣＳＧ  ＩＤを有するフェムト基地局１０１にアクセスする。ここで、ＣＳＧ  ＩＤは、フェムト基地局１０１から報知される。これにより、上位装置２０５は、当該フェムト基地局１０１経由でフェムト基地局１０１および無線端末装置２０２の対応関係を示す情報を取得する。
【０１７０】
ここで、たとえば、アクセス可能なフェムト基地局１０１の識別番号をユーザが無線端末装置２０２へ入力することにより、無線端末装置２０２は、自己の属する加入者グループすなわち自己のＣＳＧ  ＩＤを認識する。
【０１７１】
方法２として、フェムト基地局１０１を設置するユーザが、当該フェムト基地局１０１へのアクセスを許可する、すなわち当該フェムト基地局１０１のメンバーとなる無線端末装置２０２の識別番号をフェムト基地局１０１へ入力する。これにより、上位装置２０５は、当該フェムト基地局１０１経由でフェムト基地局１０１および無線端末装置２０２の対応関係を示す情報を取得する。
【０１７２】
方法３として、フェムト基地局１０１を設置するユーザが、たとえば、購入時に移動通信事業者に対して、あるいは購入後にＷｅｂサイト等を通じて移動通信事業者に対して、当該フェムト基地局１０１の識別番号、および当該フェムト基地局１０１へのアクセスを許可する、すなわち当該フェムト基地局１０１のメンバーとなる無線端末装置２０２の識別番号を通知する。これにより、上位装置２０５は、移動通信事業者経由でフェムト基地局１０１および無線端末装置２０２の対応関係を示す情報を取得する。このようにして、ＬＴＥでは、上位装置２０５が、フェムト基地局１０１へのアクセスを許可された無線端末装置２０２のリストを保持している。
【０１７３】
次に、マクロ基地局２０１およびフェムト基地局１０１の括り付け、すなわちフェムト基地局１０１の形成するフェムトセルの一部または全部を含むマクロセルを形成するマクロ基地局２０１を示す情報の取得方法として、たとえば（方法Ａ）フェムト基地局１０１経由で取得する、（方法Ｂ）フェムト基地局１０１の位置情報を利用して取得する、（方法Ｃ）測定情報を利用して取得する、の３つの方法がある。
【０１７４】
方法Ａでは、通信システム情報は、対象基地局を検知した対象基地局以外の無線基地局装置から通知される、当該無線基地局装置の識別情報および対象基地局の識別情報に基づいて生成される。
【０１７５】
具体的には、たとえば、フェムト基地局１０１のｓｎｉｆｆｅｒ機能を利用する。すなわち、フェムト基地局１０１が、マクロ基地局２０１からの無線信号を受信し、受信した無線信号に含まれる報知情報を参照することにより、自己の形成するフェムトセルの一部または全部を含むマクロセルを形成するマクロ基地局２０１を検知する。
【０１７６】
ここで、フェムト基地局１０１とかなり近い場所に他のフェムト基地局１０１が複数台設置されている状況では、これらの他のフェムト基地局１０１も検知されてしまう。この場合、検知されたフェムト基地局１０１がクローズドアクセスモードまたはハイブリッドモードで動作する場合には、検知されたフェムト基地局１０１からの報知情報が示すＣＳＧ  ＩＤ等により、マクロ基地局２０１と区別することが可能である。ただし、このようにＣＳＧ  ＩＤを用いて区別しなくても、検知された無線基地局装置がフェムト基地局１０１であるかマクロ基地局２０１であるかの判断は移動通信事業者側で可能である場合が多い。
【０１７７】
方法Ｂでは、通信システム情報は、対象基地局以外の無線基地局装置の設置場所を示す位置情報に基づいて取得された対象基地局の識別情報、および位置情報に対応する当該無線基地局装置の識別情報に基づいて生成される。
【０１７８】
具体的には、フェムト基地局１０１がＧＰＳ（Global Positioning System）等を利用して現在地を特定できる場合には、上位装置２０５は、フェムト基地局１０１の位置情報から、地理的に近いマクロ基地局２０１の情報を取得する。
【０１７９】
また、屋内に設置されたフェムト基地局１０１がＧＰＳを使用できない場合を考慮して、ＧＰＳによる方法の代わりに、あるいは合わせて、以下のような方法を採用する。すなわち、フェムト基地局１０１を設置するユーザが、たとえば、購入時に移動通信事業者に対して、あるいは購入後にＷｅｂサイト等を通じて移動通信事業者に対して、当該フェムト基地局１０１の設置場所を通知する。これにより、上位装置２０５は、移動通信事業者経由でフェムト基地局１０１の位置情報を取得し、地理的に近いマクロ基地局２０１の情報を取得する。
【０１８０】
方法Ｃとして、フェムト基地局１０１を設置する際に移動通信事業者が電波状況を測定することにより、フェムト基地局１０１と地理的に近いマクロ基地局２０１を特定する。これにより、上位装置２０５は、移動通信事業者経由でマクロ基地局２０１の情報を取得する。
【０１８１】
あるいは、フェムト基地局１０１の付近に位置する無線端末装置２０２が、各無線基地局装置からの無線信号を測定し、測定結果からマクロ基地局２０１を検知し、検知したマクロ基地局２０１の識別情報をフェムト基地局１０１に通知する。これにより、上位装置２０５は、当該フェムト基地局１０１経由でマクロ基地局２０１の情報を取得する。
【０１８２】
このように、本発明の第１の実施の形態に係る無線通信システムでは、方法１〜方法３のいずれかと、方法Ａ〜方法Ｃのいずれかとを組み合わせることにより、通信システム情報を生成することが可能となる。
【０１８３】
［電源状態の取得］
また、本発明の第１の実施の形態に係る無線通信システムでは、通信システム情報におけるフェムト基地局１０１の電源状態の情報を、以下のような方法で取得する。
【０１８４】
すなわち、無線端末装置２０２がマクロ基地局２０１の形成するマクロセル内に入ると、マクロ基地局２０１は、当該無線端末装置２０２のアクセスを許可しているフェムト基地局１０１を、当該無線端末装置２０２用の隣接セル情報に含めて通知する。この際、隣接セル情報に含めるフェムト基地局１０１の電源状態を考慮することにより、より適切な隣接セル情報を生成することが可能となる。
【０１８５】
たとえば、以下の方法αおよび方法βのようにして、フェムト基地局１０１の電源状態たとえばフェムト基地局１０１による上位装置２０５への接続状態を管理することにより、電源がオフされているフェムト基地局１０１が隣接セル情報に加えられることを防ぐことができる。
【０１８６】
方法αでは、隣接セル情報生成部１２は、新たな無線端末装置２０２が対象基地局と通信を開始する際に、新たな無線端末装置２０２が通信可能な１または複数の無線基地局装置の電源がオンされているかオフされているかを示す電源情報を取得する。そして、隣接セル情報生成部１２は、この新たな無線端末装置２０２用の隣接セル情報として、電源がオフされている無線基地局装置を少なくとも除いた隣接セル情報を生成する。
【０１８７】
すなわち、無線端末装置２０２がマクロ基地局２０１の形成するマクロセル内に入ると、マクロ基地局２０１は、当該無線端末装置２０２のアクセスを許可しているフェムト基地局１０１を、当該無線端末装置２０２用の隣接セル情報に含める前に、当該フェムト基地局１０１の電源状態を確認する。そして、当該フェムト基地局１０１の電源がオフされている場合、たとえば上位装置２０５において当該フェムト基地局１０１を検出できない場合には、当該無線端末装置２０２用の隣接セル情報に当該フェムト基地局１０１を含めない。
【０１８８】
方法βでは、通信システム情報は、対象基地局以外の無線基地局装置から通知される、当該無線基地局装置の電源がオンされたかオフされるかを示す電源情報に基づいて生成される。
【０１８９】
すなわち、フェムト基地局１０１は、電源がオンされると、上位装置２０５に電源がオンされたことを通知する。また、フェムト基地局１０１は、電源がオフされる際に、上位装置２０５に電源がオフされることを通知する。
【０１９０】
これにより、上位装置２０５は、配下の各フェムト基地局１０１の電源状態を管理することができる。
【０１９１】
なお、通信システム情報は、対象基地局以外の無線基地局装置から定期的に通知される、無線基地局装置の電源がオンされていることを示す電源情報に基づいて生成されてもよい。
【０１９２】
すなわち、フェムト基地局１０１は、電源がオンされている間は、定期的に上位装置２０５に自己の電源がオンである旨を通知する構成であってもよい。これにより、コンセント抜けおよびＬＡＮ（Local Area Network）ケーブル抜け等、フェムト基地局１０１に異常が発生したことによる電源オフを上位装置２０５側で検出することが可能となる。
【０１９３】
次に、通信システム情報における基地局の電源状態の取得方法について、さらに具体的な例を説明する。ここでは、フェムト基地局１０１およびマクロ基地局２０１の各々を単に基地局と称する。
【０１９４】
まず、ＬＴＥにおける論理的な基地局間インタフェースであるＸ２インタフェースを用いて、基地局の電源状態を通知する方法について説明する。各基地局は、Ｘ２インタフェースに従う通信データをたとえばゲートウェイ装置２０３または上位装置２０５経由で互いに送受信することにより、Ｘ２インタフェース経由で種々の情報を互いにやりとりする。
【０１９５】
無線通信システム３０１において、ある基地局Ａは、自己の電源状態遷移をＸ２インタフェース経由で他の基地局Ｂに通知する。
【０１９６】
より詳細には、基地局Ａは、その起動時すなわち電源がオフからオンに遷移する場合、あるいは、終了時すなわち電源がオンからオフに遷移する場合に、自己とＸ２インタフェースを確立している基地局Ｂへ電源遷移通知メッセージを送信することにより、基地局Ｂに電源状態の変化を通知する。
【０１９７】
図１１は、本発明の第１の実施の形態に係る無線通信システムにおける電源遷移通知メッセージの一例を示す図である。
【０１９８】
図１１を参照して、この電源遷移通知メッセージは、たとえば、基地局が起動すなわち電源オフ状態から電源オン状態へ遷移したか、基地局が終了すなわち電源オン状態から電源オフ状態へ遷移したかを示すメッセージである。
【０１９９】
また、無線通信システム３０１において、隣接セル情報を生成する基地局Ａが、自己とＸ２インタフェースを確立している他の基地局Ｂに対して、電源状態通知要求メッセージを送信することにより、基地局Ｂに電源状態の問い合わせを行なう構成であってもよい。基地局Ａは、基地局Ｂの電源がオフである場合、基地局Ｂからの応答がないことにより、基地局Ｂの電源がオフされていることを判断可能である。
【０２００】
図１２は、本発明の第１の実施の形態に係る無線通信システムにおける電源状態通知要求メッセージの一例を示す図である。
【０２０１】
図１２を参照して、この電源状態通知要求メッセージは、たとえば、電源状態の通知要求の有無を示すメッセージである。
【０２０２】
そして、電源がオン状態である基地局Ｂが、上記のような電源状態通知要求メッセージを受信した場合には、電源状態通知メッセージを基地局Ａへ送信することにより、自己の電源状態を基地局Ａに通知する。
【０２０３】
図１３は、本発明の第１の実施の形態に係る無線通信システムにおける電源状態通知メッセージの一例を示す図である。
【０２０４】
図１３を参照して、この電源状態通知メッセージは、たとえば、基地局が起動すなわち電源オフ状態から電源オン状態へ遷移したか、基地局が終了すなわち電源オン状態から電源オフ状態へ遷移したか、基地局が電源オン状態であるか、基地局が電源オフ状態であるかを示すメッセージである。
【０２０５】
なお、基地局Ｂは、上記のような電源状態通知要求メッセージを受信した場合には、以下のような電源状態通知メッセージを基地局Ａへ送信することにより、自己の電源状態に加えて、現在の自己の負荷状況、および接続端末数すなわち自己と通信中の無線端末装置２０２の数を基地局Ａに通知する構成であってもよい。
【０２０６】
図１４は、本発明の第１の実施の形態に係る無線通信システムにおける電源状態通知メッセージの他の例を示す図である。
【０２０７】
図１４を参照して、この電源状態通知メッセージは、たとえば、基地局の電源状態に加えて、「高」「中」「低」の負荷状況および自己を介して通話中の無線端末装置２０２の数を示すメッセージである。
【０２０８】
各基地局は、上記各メッセージを、単独で送受信してもよいし、他のＸ２インタフェースに従うメッセージと併せて送受信してもよい。
【０２０９】
ここで、基地局の負荷が大きい場合、または、基地局の接続端末数が当該基地局の最大接続可能数に達している場合には、当該基地局は、新たな無線端末装置と通信を行うことができない。このようなハンドオーバ先としては向かない基地局が隣接セル情報に登録されていると、無線端末装置が無駄な測定動作を行ない、また、無駄なハンドオーバが発生してしまい、無線端末装置のバッテリ電力の浪費等を招いてしまう。
【０２１０】
そこで、本発明の第１の実施の形態に係る無線通信システムでは、ある基地局が、自己の電源状態とともに自己の負荷状況および接続端末数を事前に他の基地局に通知する構成により、無駄な測定動作およびハンドオーバ動作を防ぐことができる。
【０２１１】
次に、ＬＴＥにおける論理的な基地局−事業者網間インタフェースであるＳ１インタフェースを用いて、基地局の電源状態を通知する方法について説明する。
【０２１２】
各基地局は、Ｓ１インタフェースに従う通信データをたとえばＭＭＥである上位装置２０５と互いに送受信することにより、Ｓ１インタフェースを介して種々の情報を互いにやりとりする。
【０２１３】
無線通信システム３０１において、ある基地局Ａは、自己の電源状態遷移をＳ１インタフェース経由でたとえばＭＭＥ２０５に通知する。
【０２１４】
基地局Ａは、その起動時すなわち電源がオフからオンに遷移する場合、あるいは、終了時すなわち電源がオンからオフに遷移する場合に、たとえばＭＭＥ２０５へ電源状態通知メッセージを送信することにより、ＭＭＥ２０５に電源状態の変化を通知する。
【０２１５】
図１５は、本発明の第１の実施の形態に係る無線通信システムにおける電源状態通知メッセージの一例を示す図である。
【０２１６】
図１５を参照して、この電源状態通知メッセージは、たとえば、セルグローバルＩＤ等の送信元基地局識別子、送信先基地局のセルグローバルＩＤ等の識別子リストである送信先基地局リスト、および基地局が起動すなわち電源オフ状態から電源オン状態へ遷移したか、基地局が終了すなわち電源オン状態から電源オフ状態へ遷移したかの電源状態を示すメッセージである。
【０２１７】
なお、図１５を含む以下の各図中における記号「＞」は、当該記号の付された情報が、図において当該情報の上方に記載されたリスト等のメンバであることを意味する。
【０２１８】
具体的には、図１５では、送信先基地局識別子の集合体が送信先基地局リストであること、すなわち、複数の送信先基地局識別子が、送信先基地局リストのメンバであることが示されている。
【０２１９】
ＭＭＥ２０５は、基地局Ａからこのような電源状態通知メッセージを受信して、送信先基地局リストに挙げられている各基地局Ｂへ、Ｓ１インタフェース経由で当該電源状態通知メッセージを送信する。
【０２２０】
また、場合によっては、ＭＭＥ２０５の判断により当該電源状態通知メッセージの送信先が決定されてもよい。たとえば、送信先基地局リストに基地局識別子がリストされていない場合には、ＭＭＥ２０５が当該電源状態通知メッセージの送信先を決定する。
【０２２１】
また、無線通信システム３０１において、隣接セル情報を生成する基地局Ａが、たとえばＭＭＥ２０５に対して、電源状態通知要求メッセージを送信することにより、他の基地局Ｂの電源状態の問い合わせを行なう構成であってもよい。
【０２２２】
図１６は、本発明の第１の実施の形態に係る無線通信システムにおける電源状態通知要求メッセージの一例を示す図である。
【０２２３】
図１６を参照して、この電源状態通知要求メッセージは、たとえば、セルグローバルＩＤ等の送信元基地局識別子、送信先基地局のセルグローバルＩＤ等の識別子リストである送信先基地局リスト、および電源状態の通知要求の有無を示すメッセージである。
【０２２４】
ＭＭＥ２０５は、基地局Ａからこのような電源状態通知要求メッセージを受信して、送信先基地局リストに挙げられている各基地局Ｂへ、Ｓ１インタフェース経由で当該電源状態通知要求メッセージを送信する。
【０２２５】
また、場合によっては、ＭＭＥ２０５の判断により当該電源状態通知要求メッセージの送信先が決定されてもよい。たとえば、送信先基地局リストに基地局識別子がリストされていない場合には、ＭＭＥ２０５が当該電源状態通知要求メッセージの送信先を決定する。
【０２２６】
ＭＭＥ２０５は、基地局Ｂの電源がオフである場合には、基地局Ｂからの応答がないことにより、基地局Ｂの電源がオフされていることを判断可能である。
【０２２７】
また、電源がオン状態である基地局Ｂが、上記のような電源状態通知要求メッセージを受信した場合には、電源状態通知メッセージを基地局Ａへ送信することにより、自己の電源状態をＭＭＥ２０５経由で基地局Ａに通知する。
【０２２８】
図１７は、本発明の第１の実施の形態に係る無線通信システムにおける電源状態通知メッセージの一例を示す図である。
【０２２９】
図１７を参照して、この電源状態通知メッセージは、たとえば、セルグローバルＩＤ等の送信元基地局識別子、セルグローバルＩＤ等の送信先基地局識別子、および基地局が起動すなわち電源オフ状態から電源オン状態へ遷移したか、基地局が終了すなわち電源オン状態から電源オフ状態へ遷移したか、基地局が電源オン状態であるか、基地局が電源オフ状態であるかを示すメッセージである。
【０２３０】
ＭＭＥ２０５は、基地局Ｂからこのような電源状態通知メッセージを受信して、送信先基地局リストに挙げられている基地局Ａへ、Ｓ１インタフェース経由で当該電源状態通知メッセージを送信する。
【０２３１】
なお、基地局Ｂは、上記のような電源状態通知要求メッセージを受信した場合には、以下のような電源状態通知メッセージをＭＭＥ２０５へ送信することにより、自己の電源状態に加えて、現在の自己の負荷状況、および接続端末数すなわち自己と通信中の無線端末装置２０２の数をＭＭＥ２０５経由で基地局Ａに通知する構成であってもよい。
【０２３２】
図１８は、本発明の第１の実施の形態に係る無線通信システムにおける電源状態通知メッセージの他の例を示す図である。
【０２３３】
図１８を参照して、この電源状態通知メッセージは、たとえば、送信元基地局識別子、送信先基地局識別子および基地局の電源状態に加えて、「高」「中」「低」の負荷状況および自己を介して通話中の無線端末装置２０２の数を示すメッセージである。
【０２３４】
各基地局は、上記各メッセージを、単独で送受信してもよいし、他のＳ１インタフェースに従うメッセージと併せて送受信してもよい。
【０２３５】
また、ＭＭＥ２０５が各基地局の状態が登録されたデータベースを持ち、各基地局の電源状態を管理する構成であってもよい。この場合、ある基地局ＡがＭＭＥ２０５に対して問い合わせを行なうと、ＭＭＥ２０５は、基地局電源状態通知メッセージを基地局Ａへ送信することにより、他の基地局Ｂの電源状態等を通知する。
【０２３６】
図１９は、本発明の第１の実施の形態に係る無線通信システムにおける基地局電源状態通知メッセージの他の例を示す図である。
【０２３７】
図１９を参照して、この基地局電源状態通知メッセージは、たとえば、基地局ごとに、セルグローバルＩＤ等の基地局識別子、基地局が起動すなわち電源オフ状態から電源オン状態へ遷移したか、基地局が終了すなわち電源オン状態から電源オフ状態へ遷移したか、基地局が電源オン状態であるか、基地局が電源オフ状態であるかの電源状態、「高」「中」「低」の負荷状況および自己を介して通話中の無線端末装置２０２の数を示すメッセージである。
【０２３８】
ところで、フェムト基地局の購入者は、当該フェムト基地局の設置場所を独自に決めることができる。このため、フェムト基地局が設置された無線通信システムでは、フェムト基地局の移動および電源のオン／オフが起こりやすいことから、周辺にフェムト基地局が存在する無線基地局装置において適切な隣接セル情報を生成することが困難となる。
【０２３９】
たとえば、無線端末装置は、この隣接セル情報を用いて、自律的に、またはフェムト基地局からの指示に従い、隣接セル情報に登録されたフェムト基地局からの受信電力を測定し、この測定結果をフェムト基地局に報告する。この場合、当該無線端末装置が登録されていないクローズドアクセスモードのフェムト基地局および電源がオフされているフェムト基地局等、ハンドオーバ先としては向かないフェムト基地局が隣接セル情報に登録されていると、当該無線端末装置が無駄な測定動作を行ない、また、無駄なハンドオーバが発生してしまう。
【０２４０】
また、設置されるフェムト基地局１０１の数が増加し、隣接セル情報に登録されるフェムト基地局が増加するほど、隣接セル情報を送信するためのマクロ基地局２０１の送信帯域が増大し、また、送信時間が長くなることからマクロ基地局２０１周辺の他の無線基地局装置および他の無線端末装置２０２への干渉が増大してしまう。また、隣接セル情報を受信する無線端末装置２０２においても、容量の大きいデータを受信することになり、消費電力が増大してしまう。
【０２４１】
その一方で、隣接セル情報に登録する無線基地局装置の数を単純に減らすと、無線端末装置２０２のハンドオーバ等が適切に行なえなくなる可能性がある。
【０２４２】
これに対して、本発明の第１の実施の形態に係る無線通信システムでは、隣接セル情報生成部１２は、対象基地局以外の複数の無線基地局装置のうち、対象基地局と通信中の無線端末装置２０２が通信可能な１または複数の無線基地局装置を示す隣接セル情報を、対象基地局と通信中の無線端末装置２０２ごとに生成する。そして、隣接セル情報送信部１４は、隣接セル情報生成部１２によって生成された隣接セル情報を対応の無線端末装置２０２へ送信する。
【０２４３】
このように、対象基地局と通信中の無線端末装置２０２ごとに隣接セル情報を生成し、無線端末装置２０２が通信可能な無線基地局装置を隣接セル情報に含める構成により、当該無線端末装置２０２が無駄な測定動作を行なうことを防ぎ、また、無駄なハンドオーバの発生を抑制することができる。また、不適切な無線基地局装置を隣接セル情報に含めないことから、隣接セル情報を送信するためのマクロ基地局２０１の送信帯域が増大することを抑制し、また、送信時間が短くなることで対象基地局周辺の他の無線基地局装置および他の無線端末装置２０２への干渉を低減することができる。また、隣接セル情報を受信する無線端末装置２０２においても、容量の大きいデータを受信する必要がなくなり、消費電力の増大を防ぐことができる。また、隣接セル情報に含める無線基地局装置を不適切に減らすことを防ぎ、無線端末装置２０２のハンドオーバ等を適切に行なうことが可能となる。
【０２４４】
また、フェムト基地局の移動および電源のオン／オフに関わらず、隣接セル情報を自動的に最適化することができるため、人手を介すことなく、無線通信システム３０１における動作の効率化を図ることができる。また、自動的に隣接セル情報の最適化が行われることから、無線基地局装置に対する特別な設置処理が不要となるため、無線基地局装置を設置するための作業時間および費用の低減を図ることができる。
【０２４５】
したがって、本発明の第１の実施の形態に係る無線通信システムでは、適切な隣接セル情報を生成することにより、無線通信システムにおける動作の効率化を図ることができる。
【０２４６】
また、本発明の第１の実施の形態に係る無線通信システムでは、隣接セル情報生成部１２は、対象基地局以外の複数の無線基地局装置の中から、電源がオフされている無線基地局装置を少なくとも除いた隣接セル情報を生成する。
【０２４７】
このように、本発明の第１の実施の形態に係る無線通信システムでは、フェムト基地局１０１の電源のオン／オフを、当該フェムト基地局１０１の隣接セル情報への登録条件とする。すなわち、電源がオフされているフェムト基地局１０１を隣接セル情報から除く構成により、無線端末装置２０２が必ず通信できないフェムト基地局１０１を隣接セル情報から除くことができるため、無線端末装置２０２による無駄なハンドオーバ動作および測定動作を防ぐことができる。
【０２４８】
また、本発明の第１の実施の形態に係る無線通信システムでは、隣接セル情報生成部１２は、対象基地局以外の複数の無線基地局装置の中から、クローズドアクセスモードで動作し、かつ対応の無線端末装置２０２が登録されていない無線基地局装置を少なくとも除いた隣接セル情報を生成する。
【０２４９】
このように、本発明の第１の実施の形態に係る無線通信システムでは、フェムト基地局１０１へのアクセスを無線端末装置２０２が許可されているか否かを、当該フェムト基地局１０１の隣接セル情報への登録条件とする。すなわち、無線端末装置２０２のアクセスを許可していないフェムト基地局１０１を隣接セル情報から除く構成により、無線端末装置２０２が通信できないフェムト基地局１０１を隣接セル情報から除くことができるため、無線端末装置２０２による無駄なハンドオーバ動作および測定動作を防ぐことができる。
【０２５０】
また、本発明の第１の実施の形態に係る無線通信システムでは、通信システム情報取得部１３は、対象基地局の周辺に配置された１または複数の無線基地局装置、および１または複数の無線基地局装置と通信可能な１または複数の無線端末装置２０２の対応関係を示す通信システム情報を取得する。そして、隣接セル情報生成部１２は、通信システム情報取得部１３によって取得された通信システム情報に基づいて隣接セル情報を生成する。
【０２５１】
このような構成により、無線通信システム３０１の構成に基づく最適な隣接セル情報を生成することが可能となる。
【０２５２】
また、本発明の第１の実施の形態に係る無線通信システムでは、通信システム情報は、対象基地局を検知した対象基地局以外の無線基地局装置から通知される、当該無線基地局装置の識別情報および対象基地局の識別情報に基づいて生成される。
【０２５３】
このような構成により、適切な通信システム情報を構築することが可能となり、無線通信システム３０１における動作のさらなる効率化を実現することができる。
【０２５４】
また、本発明の第１の実施の形態に係る無線通信システムでは、通信システム情報は、対象基地局以外の無線基地局装置の設置場所を示す位置情報に基づいて取得された対象基地局の識別情報、および位置情報に対応する当該無線基地局装置の識別情報に基づいて生成される。
【０２５５】
このような構成により、適切な通信システム情報を構築することが可能となり、無線通信システム３０１における動作のさらなる効率化を実現することができる。
【０２５６】
また、本発明の第１の実施の形態に係る無線通信システムでは、隣接セル情報生成部１２は、新たな無線端末装置２０２が対象基地局と通信を開始する際に、新たな無線端末装置２０２が通信可能な１または複数の無線基地局装置の電源がオンされているかオフされているかを示す電源情報を取得する。そして、隣接セル情報生成部１２は、この新たな無線端末装置２０２用の隣接セル情報として、電源がオフされている無線基地局装置を少なくとも除いた隣接セル情報を生成する。
【０２５７】
このように、フェムト基地局１０１の最新の電源状態を把握してから当該フェムト基地局１０１を隣接セル情報に登録するか否かを判断する構成により、適切な隣接セル情報を生成することが可能となる。
【０２５８】
また、本発明の第１の実施の形態に係る無線通信システムでは、通信システム情報は、対象基地局以外の無線基地局装置から通知される、無線基地局装置の電源がオンされたかオフされるかを示す電源情報に基づいて生成される。
【０２５９】
このような構成により、フェムト基地局１０１の電源状態を取得し、通信システム情報に反映することが可能となり、適切な隣接セル情報を生成することが可能となる。
【０２６０】
また、本発明の第１の実施の形態に係る無線通信システムでは、通信システム情報は、対象基地局以外の無線基地局装置から定期的に通知される、無線基地局装置の電源がオンされていることを示す電源情報に基づいて生成される。
【０２６１】
このような構成により、フェムト基地局１０１の電源状態を取得し、通信システム情報に反映することが可能となり、適切な隣接セル情報を生成することが可能となる。また、フェムト基地局１０１に異常が発生したことによる電源オフを検出することが可能となる。
【０２６２】
また、本発明の第１の実施の形態に係る無線通信システムでは、通信システム情報取得部１３は、無線通信システム３０１における各無線基地局装置の情報を記憶する上位装置２０５から通信システム情報を取得する。
【０２６３】
このように、無線通信システム３０１全体の情報を管理する上位装置２０５から通信システム情報を各無線基地局装置が取得する構成により、無線通信システム３０１全体として効率的な隣接セル情報の生成を行なうことが可能となる。
【０２６４】
また、特許文献１に記載の技術を用いて自動的にフェムト基地局の設定を行なうと、周辺のフェムト基地局をすべて隣接セルとして扱って隣接セル情報に登録し、ハンドオーバ先の候補としてしまう。このため、無線端末装置に対してフェムト基地局が壁の向こう側に存在する等、本来ハンドオーバ先としては向かないフェムト基地局も隣接セル情報に登録してしまう可能性がある。
【０２６５】
これに対して、本発明の第１の実施の形態に係る無線通信システムでは、隣接セル情報生成部１２は、対象基地局以外の複数の無線基地局装置のうち、対象基地局と通信する無線端末装置２０２のハンドオーバ先候補となる１または複数の無線基地局装置を示す隣接セル情報を生成する。
【０２６６】
このような構成により、設置された無線基地局装置のセル内におけるハンドオーバ動作を最適な状態にすることが可能となる。また、隣接セル情報の最適化を行なうことにより、通信中の無線端末装置２０２のハンドオーバ先候補となる隣接セルの数を低減することができるため、無駄なハンドオーバが発生することを防ぐことができる。
【０２６７】
また、本発明の第１の実施の形態に係る無線通信システムでは、隣接セル情報生成部１２は、対象基地局以外の複数の無線基地局装置のうち、無線端末装置２０２の測定対象となる１または複数の無線基地局装置を示す隣接セル情報を生成する。
【０２６８】
このように、隣接セル情報の最適化を行なうことにより、無線端末装置２０２が測定を行なう対象となる隣接セルの数を低減することができるため、無線端末装置２０２が無駄な測定動作を行なうことを防ぐことができる。
【０２６９】
また、本発明の第１の実施の形態に係る無線通信システムでは、隣接セル情報生成部１２は、対象基地局以外の複数の無線基地局装置のうち、無線端末装置２０２が受信レベルを測定する対象となる無線信号を送信する１または複数の無線基地局装置を示す隣接セル情報を生成する。
【０２７０】
このように、隣接セル情報の最適化を行なうことにより、無線端末装置２０２が受信レベル測定を行なう対象となる隣接セルの数を低減することができるため、無線端末装置２０２が無駄な測定動作を行なうことを防ぐことができる。
【０２７１】
また、本発明の第１の実施の形態に係る無線通信システムでは、対象無線基地局以外の複数の無線基地局装置のうちの少なくともいずれかはフェムト基地局である。
【０２７２】
このように、電源のオン／オフおよびセルの移動が頻繁に起こり、また、アクセス制限の設定が可能なフェムト基地局が周辺に配置された無線基地局装置において、適切な隣接セル情報を生成することにより、無線通信システムにおける動作の効率化を図るという効果をより顕著に得ることができる。
【０２７３】
また、本発明の第１の実施の形態に係る無線通信システムでは、マクロ基地局２０１が、単体で隣接セル情報の最適化を行なう。すなわち、本発明の第１の実施の形態に係る隣接セル処理装置は、マクロ基地局２０１に含まれる。
【０２７４】
このような構成により、たとえばコアネットワーク２０４における上位装置２０５で各無線基地局装置の隣接セル情報の最適化を行なう必要がなくなり、無線通信システム３０１における処理負荷の分散、ならびに無線基地局装置および上位装置間における通信量の低減を図ることができる。
【０２７５】
また、本発明の第１の実施の形態に係る無線通信システムでは、図１１に示す電源遷移通知メッセージならびに図１３および図１４に示す電源状態通知メッセージは、基地局間で通知され、基地局の電源状態を示す電源状態データを備える。
【０２７６】
このような構成により、たとえば論理的な基地局間インタフェースを用いて基地局間で電源状態を通知することが可能となり、適切な隣接セル情報の生成に資することができる。
【０２７７】
また、本発明の第１の実施の形態に係る無線通信システムでは、図１５、図１７および図１８において説明したように、電源状態通知メッセージは、１または複数の基地局、および各基地局と通信可能な上位装置２０５間で通知され、情報の送信元である基地局の識別情報を示す送信元基地局識別データと、情報の送信元である基地局の電源状態を示す電源状態データとを備える。
【０２７８】
このような構成により、たとえば論理的な基地局−事業者網間インタフェースを用いて基地局間で上位装置を介して電源状態を通知することが可能となり、適切な隣接セル情報の生成に資することができる。
【０２７９】
また、本発明の第１の実施の形態に係る無線通信システムでは、図１９において説明したように、基地局電源状態通知メッセージは、１または複数の基地局と通信可能な上位装置２０５から各基地局に通知され、基地局の識別情報を示す基地局識別データと、この識別情報に対応する基地局の電源状態を示す電源状態データとを備える。
【０２８０】
このような構成により、上位装置２０５から基地局に電源状態を通知することが可能となり、適切な隣接セル情報の生成に資することができる。
【０２８１】
また、本発明の第１の実施の形態に係る無線通信システムでは、図１１に示す電源遷移通知メッセージ、図１３〜図１５、図１７および図１８に示す電源状態通知メッセージ、ならびに図１９に示す基地局電源状態通知メッセージのように、上記電源状態データは、基地局の電源がオンからオフへ遷移したか、またはオフからオンへ遷移したかを示す。
【０２８２】
このような構成により、ある基地局の電源状態が遷移する際に、他の基地局において当該遷移に関する情報を取得することが可能となる。
【０２８３】
また、本発明の第１の実施の形態に係る無線通信システムでは、図１３、図１４、図１７および図１８に示す電源状態通知メッセージならびに図１９に示す基地局電源状態通知メッセージのように、上記電源状態データは、基地局の電源がオン状態であるか、またはオフ状態であるかを示す。
【０２８４】
このような構成により、ある基地局の電源状態をたとえば定期的に取得することが可能となる。
【０２８５】
また、本発明の第１の実施の形態に係る無線通信システムでは、図１４および図１８に示す電源状態通知メッセージならびに図１９に示す基地局電源状態通知メッセージは、基地局の負荷状況を示す負荷状況データと、基地局と通信中の無線端末装置２０２の数を示す通信中端末数データとを備える。
【０２８６】
このような構成により、ある基地局が、自己の電源状態とともに自己の負荷状況および接続端末数を事前に他の基地局に通知することが可能となり、無駄な測定動作およびハンドオーバ動作を防ぐことができる。なお、これらのメッセージは、負荷状況データおよび通信中端末数データの少なくとも一方を示していれば、無駄な測定動作およびハンドオーバ動作を防ぐ、という効果を奏することが可能である。
【０２８７】
また、本発明の第１の実施の形態に係る無線通信システムでは、図１２において説明したように、電源状態通知要求メッセージは、基地局間で通知され、基地局に対して電源状態の通知を要求する旨を示す電源状態通知要求データを備える。
【０２８８】
このような構成により、ある基地局から自律的に他の基地局に対して電源状態の通知を要求することが可能となり、適切な隣接セル情報の生成に資することができる。
【０２８９】
また、本発明の第１の実施の形態に係る無線通信システムでは、図１６において説明したように、電源状態通知要求メッセージは、１または複数の基地局、および各基地局と通信可能な上位装置２０５間で通知され、情報の送信元である基地局の識別情報を示す送信元基地局識別データと、他の基地局に対して電源状態の通知を要求する旨を示す電源状態通知要求データとを備える。
【０２９０】
このような構成により、ある基地局から自律的に上位装置２０５経由で他の基地局に対して電源状態の通知を要求することが可能となり、適切な隣接セル情報の生成に資することができる。
【０２９１】
また、本発明の第１の実施の形態に係る無線通信システムでは、図１５、図１７および図１８に示す電源状態通知メッセージ、ならびに図１６に示す電源状態通知要求メッセージは、情報の送信先である１または複数の基地局の識別情報を示す送信先基地局識別データを備える。
【０２９２】
このような構成により、上位装置２０５においてメッセージの送信先を決定する必要がなくなり、上位装置２０５における処理負荷の低減を図ることができる。
【０２９３】
なお、本発明の第１の実施の形態に係る無線通信システムでは、マクロ基地局２０１が生成する隣接セル情報にはフェムト基地局１０１のみが登録される構成であるとしたが、これに限定するものではない。無線通信システムにおいて複数のマクロ基地局が設置される場合には、あるマクロ基地局が生成する隣接セル情報に他のマクロ基地局が登録される構成であってもよい。
【０２９４】
また、本発明の第１の実施の形態に係る無線通信システムでは、マクロ基地局２０１が隣接セル情報を生成する構成であるとしたが、これに限定するものではない。フェムト基地局１０１が隣接セル情報を生成する構成であってもよい。
【０２９５】
また、本発明の第１の実施の形態に係る無線通信システムでは、マクロ基地局２０１における通信システム情報取得部１３は、通信システム情報を上位装置２０５から取得する構成であるとしたが、これに限定するものではない。マクロ基地局２０１における通信システム情報取得部１３が、自ら通信システム情報を生成する構成であってもよい。
【０２９６】
また、本発明の第１の実施の形態に係る無線通信システムでは、ハンドオーバの動作として、無線端末装置２０２の通信相手となる無線基地局装置が無線基地局装置主導で切り替えられる構成であるとしたが、これに限定するものではない。無線端末装置２０２の通信相手となる無線基地局装置が無線端末装置２０２主導で切り替えられる構成であってもよい。
【０２９７】
また、本発明の第１の実施の形態に係る無線通信システムでは、、図１３、図１４、図１７および図１８に示す電源状態通知メッセージならびに図１９に示す基地局電源状態通知メッセージは、基地局が起動すなわち電源オフ状態から電源オン状態へ遷移したか、基地局が終了すなわち電源オン状態から電源オフ状態へ遷移したか、基地局が電源オン状態であるか、基地局が電源オフ状態であるかを示すメッセージであるとしたが、これに限定するものではない。これらのメッセージは、電源状態の遷移を示さず、単に、基地局が電源オン状態であるか、基地局が電源オフ状態であるかを示すメッセージであってもよい。
【０２９８】
次に、本発明の他の実施の形態について図面を用いて説明する。なお、図中同一または相当部分には同一符号を付してその説明は繰り返さない。
【０２９９】
＜第２の実施の形態＞
本実施の形態は、第１の実施の形態に係る無線通信システムと比べて隣接セル情報を報知する無線通信システムに関する。以下で説明する内容以外は第１の実施の形態に係る無線通信システムと同様である。
【０３００】
図２０は、本発明の第２の実施の形態に係るマクロ基地局における信号処理部の構成を示す図である。
【０３０１】
図２０を参照して、マクロ基地局２０１における信号処理部は、隣接セル情報生成部３２と、通信システム情報取得部１３と、隣接セル情報送信部３４とを含む。
【０３０２】
隣接セル情報生成部３２は、通信システム情報取得部１３によって取得された通信システム情報に基づいて、マクロセルＭＣに在圏中であり、アイドル状態すなわち自己のマクロ基地局２０１と通信中でない各無線端末装置２０２へ報知するための隣接セル情報を作成する。
【０３０３】
隣接セル情報送信部３４は、隣接セル情報生成部３２によって生成された隣接セル情報を、対象基地局である自己のマクロ基地局２０１と通信可能な無線端末装置２０２へ報知する。
【０３０４】
図２１は、本発明の第２の実施の形態に係る無線通信システムにおいて、マクロ基地局が生成する隣接セル情報の一例を示す図である。
【０３０５】
図２１を参照して、隣接セル情報生成部３２は、図５に示す通信システム情報に基づいて、アイドル状態すなわち自己のマクロ基地局２０１と通信中でない各無線端末装置２０２への報知用として、電源がオンされているフェムト基地局１０１Ａ，１０１Ｃ，１０１Ｄ、すなわち１１１，３３３，４４４のセルＩＤを示す隣接セル情報を生成する。
【０３０６】
このような構成により、アイドル状態の無線端末装置１５１において、電源がオフされているフェムト基地局１０１についての無駄な測定動作が発生することを防ぐことができる。
【０３０７】
図２２は、本発明の第２の実施の形態に係るマクロ基地局が隣接セル情報を更新する際の動作手順を定めたフローチャートである。
【０３０８】
図２２を参照して、隣接セル情報生成部３２は、通信システム情報取得部１３によって通信システム情報が更新され、かつ当該通信システム情報の更新によって隣接セル情報を更新する必要が生じるまで待機する（ステップＳ１でＮＯ、ステップＳ２でＮＯ）。
【０３０９】
そして、隣接セル情報生成部３２は、通信システム情報が更新された場合であって（ステップＳ１でＹＥＳ）、当該通信システム情報の更新によって隣接セル情報を更新する必要があるときには（ステップＳ２でＹＥＳ）、更新後の隣接セル情報におけるセル数が所定値を超えるか否かを判定する（ステップＳ３）。
【０３１０】
隣接セル情報生成部３２は、隣接セル情報を更新しても更新後の隣接セル情報におけるセル数が所定値を超えない場合には（ステップＳ３でＮＯ）、新たなセルＩＤを隣接セル情報に追加する。そして、隣接セル情報送信部３４は、隣接セル情報生成部３２によって更新された隣接セル情報を自己のマクロ基地局２０１と通信可能な無線端末装置２０２へ報知する（ステップＳ４）。
【０３１１】
一方、隣接セル情報生成部３２は、隣接セル情報を更新すると更新後の隣接セル情報におけるセル数が所定値を超える場合には（ステップＳ３でＹＥＳ）、隣接セル情報には新たなセルＩＤを追加せず、自己のマクロ基地局２０１と通信中の無線端末装置２０２に通知するための別情報を生成する。すなわち、隣接セル情報生成部３２は、隣接セル情報に新たな１または複数の無線基地局装置を追加する場合であって新たな１または複数の無線基地局装置を追加すると隣接セル情報における無線基地局装置の数が所定値を超えるときには、隣接セル情報には新たな１または複数の無線基地局装置を追加しない。そして、隣接セル情報生成部３２は、追加しなかった新たなセルＩＤを示す予備隣接セル情報を生成する。
【０３１２】
そして、隣接セル情報送信部３４は、隣接セル情報生成部３２によって生成された予備隣接セル情報を自己のマクロ基地局２０１と通信可能な無線端末装置２０２へ送信する（ステップＳ５）。
【０３１３】
なお、ステップＳ５においては、新たに追加すべき複数のセルＩＤのうち、ある無線端末装置２０２が通信可能なフェムト基地局１０１のセルＩＤだけを予備隣接セル情報に含めて当該無線端末装置２０２に通知してもよいし、新たに追加すべき複数のセルＩＤをすべて予備隣接セル情報に含めて当該無線端末装置２０２に通知してもよい。
【０３１４】
すなわち、隣接セル情報送信部３４は、隣接セル情報生成部３２が新たな１または複数の無線基地局装置を隣接セル情報に追加しない場合には、対象基地局と通信中であり、かつ上記新たな１または複数の無線基地局装置の一部または全部と通信可能な無線端末装置２０２へ、上記新たな１または複数の無線基地局装置の一部または全部を隣接セル情報とは別の情報として通知する。
【０３１５】
図２３は、本発明の第２の実施の形態に係るマクロ基地局が隣接セル情報を更新する際の動作手順の他の例を定めたフローチャートである。
【０３１６】
図２３を参照して、ステップＳ１１〜Ｓ１４の動作は、図２２に示すステップＳ１〜Ｓ４の動作と同様である。
【０３１７】
隣接セル情報生成部３２は、隣接セル情報を更新すると更新後の隣接セル情報におけるセル数が所定値を超える場合には（ステップＳ１３でＹＥＳ）、隣接セル情報に登録されたセルのうち、マクロ基地局２０１に在圏している無線端末装置２０２の中でメンバーが存在しないセルを隣接セル情報から削除する。
【０３１８】
すなわち、隣接セル情報生成部３２は、隣接セル情報に新たな１または複数の無線基地局装置を追加する場合であって新たな１または複数の無線基地局装置を追加すると隣接セル情報における無線基地局装置の数が所定値を超えるときには、隣接セル情報に示された１または複数の無線基地局装置のうち、対象基地局と通信可能な無線端末装置２０２の中で通信を許可している無線端末装置２０２が存在しない無線基地局装置を隣接セル情報から削除する。そして、隣接セル情報生成部３２は、削除した後の隣接セル情報に新たな１または複数の無線基地局装置を追加する。
【０３１９】
そして、隣接セル情報送信部３４は、隣接セル情報生成部３２によって更新された隣接セル情報を報知する（ステップＳ１６）。
【０３２０】
図２４は、本発明の第２の実施の形態に係る無線通信システムにおいて、無線基地局装置が隣接セル情報を無線端末装置へ通知する方法の一例を示す図である。
【０３２１】
図２４を参照して、マクロ基地局２０１は、アイドル状態すなわち通話およびデータ通信を行なっていない状態の無線端末装置２０２に対して、隣接セル情報を報知情報に含めて通知する。この場合、マクロ基地局２０１は、報知情報変化通知を利用して、隣接セル情報が更新されたことを無線端末装置２０２に通知する。
【０３２２】
より詳細には、マクロ基地局２０１は、隣接セル情報の最適化が発生すると（ステップＳ２７）、報知情報変化通知をマクロセルＭＣに存在する各無線端末装置２０２へブロードキャストする（ステップＳ２８）。
【０３２３】
次に、マクロ基地局２０１は、更新した隣接セル情報を含んだ報知情報をマクロセルＭＣに存在する各無線端末装置２０２へブロードキャストする。そして、報知情報変化通知を受信した無線端末装置２０２は、マクロ基地局２０１から送信される報知情報から隣接セル情報を読み出し、自ら保持している隣接セル情報を、読み出した隣接セル情報に更新する（ステップＳ２９）。
【０３２４】
次に、無線端末装置２０２は、自律的にまたはマクロ基地局２０１から測定開始要求を受信して、更新した隣接セル情報の示す無線基地局装置から送信される無線信号の受信レベルを測定する（ステップＳ３０）。
【０３２５】
一般に、隣接セル情報に登録できるセルＩＤ数には、上限値が定められている。このため、無線通信システム３０１においてフェムト基地局１０１またはマクロ基地局２０１が多数設置されると、隣接セル情報に全セルＩＤを登録できなくなる可能性がある。そうすると、無線端末装置２０２において適切な測定動作およびハンドオーバ動作を行なうことが困難となる場合がある。
【０３２６】
これに対して、本発明の第２の実施の形態に係る無線通信システムでは、隣接セル情報生成部３２は、隣接セル情報に新たな１または複数の無線基地局装置を追加する場合であって新たな１または複数の無線基地局装置を追加すると隣接セル情報における無線基地局装置の数が所定値を超えるときには、隣接セル情報には上記新たな１または複数の無線基地局装置を追加しない。そして、隣接セル情報送信部３４は、隣接セル情報生成部３２が上記新たな１または複数の無線基地局装置を隣接セル情報に追加しない場合には、対象基地局と通信中であり、かつ上記新たな１または複数の無線基地局装置の一部または全部と通信可能な無線端末装置２０２へ、上記新たな１または複数の無線基地局装置の一部または全部を隣接セル情報とは別の情報として通知する。
【０３２７】
このような構成により、自己のマクロ基地局２０１と通信中の無線端末装置２０２に対して、測定対象およびハンドオーバ対象として適切かつ十分な数の無線基地局装置を隣接セルとして通知することができるため、無線通信システムにおける動作の効率化を図ることができる。
【０３２８】
また、本発明の第２の実施の形態に係る無線通信システムでは、隣接セル情報生成部３２は、隣接セル情報に新たな１または複数の無線基地局装置を追加する場合であって新たな１または複数の無線基地局装置を追加すると隣接セル情報における無線基地局装置の数が所定値を超えるときには、隣接セル情報に示された１または複数の無線基地局装置のうち、対象基地局と通信可能な無線端末装置２０２の中で通信を許可している無線端末装置２０２が存在しない無線基地局装置を隣接セル情報から削除する。そして、隣接セル情報生成部３２は、削除した後の隣接セル情報に新たな１または複数の無線基地局装置を追加する。
【０３２９】
このような構成により、自己のマクロ基地局２０１と通信可能な無線端末装置２０２に対して、測定対象およびハンドオーバ対象として適切かつ十分な数の無線基地局装置が登録された隣接セル情報を通知することができるため、無線通信システムにおける動作の効率化を図ることができる。
【０３３０】
また、本発明の第２の実施の形態に係る無線通信システムでは、隣接セル情報生成部３２は、対象基地局以外の複数の無線基地局装置のうち、アイドル状態すなわち対象基地局と通信中でない無線端末装置２０２が受信レベルを測定する対象となる無線信号を送信する１または複数の無線基地局装置を示す隣接セル情報を生成する。
【０３３１】
このような構成により、無線基地局装置からの報知情報等によって指示される定期的な電力測定の対象となる隣接セルの数を低減することができるため、無線端末装置２０２が無駄な測定動作を行なうことを防ぐことができる。特に、アイドル状態の無線端末装置２０２の消費電力を低減することができるため、顕著な効果が得られる。
【０３３２】
なお、本発明の第２の実施の形態に係る無線通信システムでは、マクロ基地局２０１が生成する隣接セル情報にはフェムト基地局１０１のみが登録される構成であるとしたが、これに限定するものではない。無線通信システムにおいて複数のマクロ基地局が設置される場合には、あるマクロ基地局が生成する隣接セル情報に他のマクロ基地局が登録される構成であってもよい。
【０３３３】
また、本発明の第２の実施の形態に係る無線通信システムでは、マクロ基地局２０１が隣接セル情報を生成する構成であるとしたが、これに限定するものではない。フェムト基地局１０１が隣接セル情報を生成する構成であってもよい。
【０３３４】
また、本発明の第２の実施の形態に係る無線通信システムでは、更新後の隣接セル情報におけるセル数が所定値を超える場合に、図２２のステップＳ５および図２３のステップＳ１５に示すような処理を行なう構成であるとしたが、これに限定するものではない。隣接セル情報の更新時だけでなく、初期の隣接セル情報を生成する際に、セル数が所定値を超える場合において、図２２のステップＳ５および図２３のステップＳ１５に示すような処理を行なう構成であってもよい。
【０３３５】
その他の構成および動作は第１の実施の形態に係る無線通信システムと同様であるため、ここでは詳細な説明を繰り返さない。
【０３３６】
次に、本発明の他の実施の形態について図面を用いて説明する。なお、図中同一または相当部分には同一符号を付してその説明は繰り返さない。
【０３３７】
＜第３の実施の形態＞
本実施の形態は、第１の実施の形態に係る無線通信システムと比べて無線基地局装置の代わりに上位装置が隣接セル処理装置として動作する無線通信システムに関する。以下で説明する内容以外は第１の実施の形態に係る無線通信システムと同様である。
【０３３８】
図２５は、本発明の第３の実施の形態に係る上位装置の構成を示す図である。
【０３３９】
図２５を参照して、上位装置２０５は、基地局側送受信部８１と、データ処理部８２とを備える。
【０３４０】
基地局側送受信部８１は、データ処理部８２から受けた通信データをマクロ基地局２０１および各フェムト基地局１０１へ送信し、また、マクロ基地局２０１および各フェムト基地局１０１から受信した通信データをデータ処理部８２へ出力する。
【０３４１】
本発明の第３の実施の形態に係る無線通信システムでは、上位装置２０５が、その配下のマクロ基地局および各フェムト基地局を監視して隣接セル情報の最適化を行なう。
【０３４２】
図２６は、本発明の第３の実施の形態に係る上位装置におけるデータ処理部の構成を示す図である。
【０３４３】
図２６を参照して、データ処理部８２は、端末情報取得部２１と、隣接セル情報生成部２２と、通信システム情報生成部２３と、隣接セル情報送信部２４とを含む。
【０３４４】
端末情報取得部２１は、対象基地局と通信中である無線端末装置２０２の識別情報を対象基地局から取得する。
【０３４５】
通信システム情報生成部２３は、マクロ基地局２０１、当該マクロ基地局２０１の周辺に配置された１または複数のフェムト基地局１０１、および当該フェムト基地局１０１のメンバーである無線端末装置２０２の対応関係を示す通信システム情報を生成する。
【０３４６】
隣接セル情報生成部２２は、通信システム情報生成部２３によって生成された通信システム情報および端末情報取得部２１によって取得された識別情報に基づいて、対象基地局以外の無線通信システム３０１における複数の無線基地局装置のうち、対象基地局と通信中の無線端末装置２０２が通信可能な１または複数の無線基地局装置を示す隣接セル情報を生成する。すなわち、隣接セル情報生成部２２は、対象基地局と通信中の無線端末装置２０２ごとに当該隣接セル情報を生成する。本発明の第３の実施の形態に係る無線通信システムでは、対象基地局はマクロ基地局２０１、フェムト基地局１０１Ａ、フェムト基地局１０１Ｂ、フェムト基地局１０１Ｃまたはフェムト基地局１０１Ｄである。
【０３４７】
隣接セル情報送信部２４は、隣接セル情報生成部２２によって生成された隣接セル情報を対象基地局へ送信する。
【０３４８】
そして、対象基地局は、上位装置２０５における隣接セル情報送信部２４から受信した隣接セル情報を自己と通信中の対応の無線端末装置２０２へ送信する。
【０３４９】
隣接セル情報生成部２２による隣接セル情報の生成方法の内容は、本発明の第１の実施の形態に係る隣接セル情報生成部１２による隣接セル情報の生成方法とたとえば同様である。
【０３５０】
その他の構成および動作は第１の実施の形態に係る無線通信システムと同様であるため、ここでは詳細な説明を繰り返さない。
【０３５１】
なお、本発明の第３の実施の形態に係る上位装置と同様に、本発明の第２の実施の形態において、マクロ基地局２０１の代わりに、上位装置２０５が隣接セル処理装置として動作する構成であってもよい。この場合、上位装置２０５における隣接セル情報送信部は、隣接セル情報生成部によって生成された対象基地局用の隣接セル情報を対象基地局へ送信する。
【０３５２】
また、無線基地局装置が複数のセクタを有している場合、すなわち１つのセルが複数のセクタに分割されている場合には、隣接セル情報において１つのセクタを１つの無線基地局装置として扱えばよく、本発明は、このような場合にも適用される。
【０３５３】
また、本発明の第１〜第３の実施の形態では、無線端末装置のハンドオーバ動作について具体的な説明を行なったが、無線基地局装置と通信中の無線端末装置が行なう基地局間移動（セル間移動）動作であるハンドオーバに限らず、アイドル状態の無線端末装置が行なう基地局間移動（セル間移動）動作についても、本発明は適用される。すなわち、本発明の第１〜第３の実施の形態において、「ハンドオーバ」を「移動」に置き換えた構成および動作についても、本発明は適用される。
【０３５４】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０３５５】
１１，２１  端末情報取得部
１２，２２  隣接セル情報生成部
１３  通信システム情報取得部
１４，２４  隣接セル情報送信部
２３  通信システム情報生成部
８１  基地局側送受信部
８２  データ処理部
９１  アンテナ
９２  サーキュレータ
９３  無線受信部
９４  無線送信部
９５  信号処理部
９６  受信信号処理部
９７  送信信号処理部
１０１Ａ，１０１Ｂ，１０１Ｃ，１０１Ｄ  フェムト基地局
２０１  マクロ基地局
２０２  無線端末装置
２０３  ゲートウェイ装置
２０５  上位装置
３０１  無線通信システム
ＦＣＡ，ＦＣＢ，ＦＣＣ，ＦＣＤ  フェムトセル
ＭＣ  マクロセル
【図１】
2012105203.tif 000003
【図２】
2012105203.tif 000004
【図３】
2012105203.tif 000005
【図４】
2012105203.tif 000006
【図５】
2012105203.tif 000007
【図６】
2012105203.tif 000008
【図７】
2012105203.tif 000009
【図８】
2012105203.tif 000010
【図９】
2012105203.tif 000011
【図１０】
2012105203.tif 000012
【図１１】
2012105203.tif 000013
【図１２】
2012105203.tif 000014
【図１３】
2012105203.tif 000015
【図１４】
2012105203.tif 000016
【図１５】
2012105203.tif 000017
【図１６】
2012105203.tif 000018
【図１７】
2012105203.tif 000019
【図１８】
2012105203.tif 000020
【図１９】
2012105203.tif 000021
【図２０】
2012105203.tif 000022
【図２１】
2012105203.tif 000023
【図２２】
2012105203.tif 000024
【図２３】
2012105203.tif 000025
【図２４】
2012105203.tif 000026
【図２５】
2012105203.tif 000027
【図２６】
2012105203.tif 000028